(57)【特許請求の範囲】
【請求項１】
少なくとも２以上の確認者によって対象者の死亡である所定事実の有無を確認する確認装置であって、
確認者の候補である確認候補者それぞれの連絡先である候補者連絡先を記憶する候補者情報記憶手段と、
候補者情報記憶手段から候補者連絡先を読み出す候補者連絡先読出手段と、
候補者連絡先読出手段により読み出し取得された候補者連絡先に、確認候補者が確認者になることを承諾するか否かを示す操作である諾否操作を要求する通知である諾否確認要求通知を送信する候補者諾否操作要求手段と、
確認候補者からの諾否操作に関する信号である諾否信号を受け付ける諾否信号受付手段と、
諾否信号受付手段により受け付けられた諾否信号が、確認者になることを承諾する操作である承諾操作をしたことを示す承諾信号である確認候補者を確認者としてそれぞれの連絡先を記憶する確認者情報記憶手段と、
１の確認者である通報者からの該所定事実の存在を肯定する通報信号を受け付ける通報信号受付手段と、
通報信号受付手段が通報信号を受け付けた後、通報者以外の確認者の連絡先を確認者情報記憶手段から読み出す確認者連絡先読出手段と、
確認者連絡先読出手段により読み出し取得された連絡先に、該所定事実の有無に関する操作である有無確認操作を要求する通知である有無確認要求通知を送信する有無確認要求手段と、
通報者以外の確認者の有無確認操作に関する信号を受け付ける有無信号受付手段と、
有無信号受付手段により受け付けられた有無確認操作に関する信号のうち、該所定事実が存在することを示す有操作を発した確認者の数に基づき、該所定事実が存在すると判断する存在判断手段と、
を備えてなる、確認装置。
【請求項２】
確認者情報記憶手段は、候補者情報記憶手段に記憶された確認候補者と、該確認候補者が承諾信号を発したことと、を関連付けて記憶するものである、請求項１に記載の確認装置。
【請求項３】
確認候補者が諾否操作を行う諾否用ウエブページを確認候補者に対応して作成し、該作成した諾否用ウエブページをインターネット上に公開する諾否用ウエブページ作成手段を備えてなり、
候補者諾否操作要求手段が、諾否用ウエブページにおいて諾否操作を要求する諾否確認要求通知を送信し、
諾否信号受付手段が、諾否用ウエブページにおける諾否操作に関する諾否信号を受け付けるものである、請求項１又は２に記載の確認装置。
【請求項４】
候補者諾否操作要求手段が、諾否用ウエブページのインターネット上のアドレスを内容に含む電子メールを作成し、諾否確認要求通知として該電子メールを候補者連絡先に送信するものである、請求項３に記載の確認装置。
【請求項５】
存在判断手段が、前記有操作を発した確認者が、通報者以外の確認者全員になったときに前記所定事実が存在すると判断するものである、請求項１乃至４のいずれか１に記載の確認装置。
【請求項６】
請求項１乃至５のいずれか１に記載の確認装置を含んでなり、該確認装置が前記所定事実が存在すると判断した場合に所定のコンテンツを宛先者に提示するコンテンツ提示装置であって、
提示するコンテンツを記憶するコンテンツ記憶手段と、
該確認装置が該所定事実が存在すると判断した後、コンテンツ記憶手段が記憶しているコンテンツを宛先者に提示するコンテンツ提示手段と、
を備えてなる、コンテンツ提示装置。
【請求項７】
宛先者が複数存すると共に、コンテンツ記憶手段が複数種類のコンテンツを記憶しているものであり、
宛先者それぞれに対して、コンテンツ記憶手段が記憶した複数種類のコンテンツのいずれを提示するかを示すコンテンツ対応関係を記憶するコンテンツ対応関係記憶手段を有してなり、
コンテンツ提示手段が、コンテンツ対応関係記憶手段が記憶するコンテンツ対応関係に従って、宛先者にコンテンツを提示するものである、請求項６に記載のコンテンツ提示装置。
【請求項８】
複数種類のコンテンツのうち宛先者それぞれに提示するものを指定する情報であるコンテンツ指定情報を受け付けるコンテンツ指定情報受付手段を有してなり、
コンテンツ対応関係は、コンテンツ指定情報受付手段により受け付けられたコンテンツ指定情報である、請求項７に記載のコンテンツ提示装置。
【請求項９】
宛先者それぞれの連絡先を記憶する宛先者情報記憶手段を備えてなり、
コンテンツ提示手段が、コンテンツ対応関係に従って各宛先者に提示するコンテンツを含む宛先者ウエブページを各宛先者に対応して作成し、該作成した宛先者ウエブページをインターネット上に公開する宛先者ウエブページ作成手段と、宛先者情報記憶手段が記憶している宛先者の連絡先を読み出し取得する宛先者連絡先読出手段と、宛先者ウエブページ作成手段により作成された宛先者ウエブページのインターネット上のアドレスを該宛先者ウエブページに対応する宛先者に、宛先者連絡先読出手段により読み出し取得された該宛先者の連絡先に送信する宛先者ウエブページアドレス送信手段と、を有してなる、請求項７又は８に記載のコンテンツ提示装置。
【請求項１０】
前記コンテンツが、前記対象者が生前に前記宛先者に提示を希望するものである、請求項６乃至９のいずれか１に記載のコンテンツ提示装置。
【請求項１１】
請求項１乃至５のいずれか１に記載の確認装置をコンピュータに実現させるためのプログラム。
【請求項１２】
請求項１乃至５のいずれか１に記載の確認装置をコンピュータに実現させるためのプログラムを記録したコンピュータ読みとり可能な記憶媒体。
【請求項１３】
請求項６乃至９のいずれか１に記載のコンテンツ提示装置をコンピュータに実現させるためのプログラム。
【請求項１４】
請求項６乃至９のいずれか１に記載のコンテンツ提示装置をコンピュータに実現させるためのプログラムを記録したコンピュータ読みとり可能な記憶媒体。
【発明の詳細な説明】
【技術分野】
【０００１】
本発明は、確認装置に関し、より詳細には、所定事実の有無を確認する確認装置に関する。
【背景技術】
【０００２】
所定事実の有無に関する確認装置はこれまで用いられてきた（例えば、特許文献１等）。
特許文献１には、「個々のユーザが任意に設定、運用できるような防犯、防災のシステムを、できる限り簡便に実現することを目的とし、そのために好適な報知装置を提供」（特許文献１の段落番号０００４）するためになされたもので、具体的には、「感知手段が犯罪、事故、災害等に係る所定の事象の発生を感知したときに、該事象の発生を所要の宛先に報知するものであって、感知手段が所定の事象の発生を感知したことを検出する検出部と、一若しくは複数の宛先をユーザの任意に設定することができる宛先設定部と、感知手段による所定の事象の発生の感知を前記検出部で検出したことに基づき、所定の事象の発生を報知するための情報である報知情報を生成する報知情報生成部と、前記宛先設定部に設定された一若しくは複数の宛先に前記報知情報生成部で生成した報知情報を電気通信回線を介して送信する報知情報送信部とを具備する報知装置。」（特許文献１、請求項１）が開示されている。
かかる特許文献１開示の報知装置は、「犯罪、事故、災害等に係る所定の事象が発生した場合に、予め設定しておいた宛先に報知情報を送信することができる。出先にあるユーザか、あるいはユーザの知人その他の信頼できる第三者が報知情報を受け取るように送信の宛先を設定すれば、所定の事象の発生の報知を受けたユーザや信頼できる第三者が現状の確認、警察、消防への通報等の対応を行い得るようになる。勿論、（予め相談の上で）警察署や消防署に報知情報が送信されるように設定することも可能である。本発明の報知装置は、報知の宛先をユーザの任意に設定できるため、運用の柔軟性が高い。報知情報の送信の宛先を複数設定することによって、より確実に報知が伝達されるようになり、防犯、防災効果が増大する。実効的な防犯、防災のシステムを、専門の警備会社に依頼することなく構築することができるため、費用の面での負担が小さく、個人や家庭単位での利用が容易である。」（特許文献１の段落番号０００６）というものである。
【先行技術文献】
【特許文献】
【０００３】
【特許文献１】特開２００４−７０７４７号公報（例えば、要約、請求項１、発明の詳細な説明中の段落番号０００１〜０００６、第１図〜第４図等）
【発明の概要】
【発明が解決しようとする課題】
【０００４】
確かに、特許文献１開示の報知装置は、感知手段が所定の事象の発生を感知することで、所定の事象（所定事実）の有無を確認する確認装置として機能するものである。
しかしながら、特許文献１開示の確認装置（報知装置）においては、感知手段が感知しうる事象しか確認できない。このため人の認識や判断を要するような所定事実の有無の確認については適用が難しい。例えば、特許文献１開示の報知装置の感知手段が、家屋に取り付けられた「窓ガラスの破壊を検知するガラスセンサ、動体が対向線上を横切ったことを検知する赤外線センサ、金庫への物理力の行使による振動や金庫を溶断しようとする際に生じる熱を検知する金庫センサ、煙若しくは熱を検知する火災センサ」（特許文献１の段落番号０００７）のようなものであれば、これらガラスセンサ、赤外線センサ、金庫センサ、火災センサの全てが感知した場合には、家屋の窓ガラスが破壊され、動体が対向線上を横切り、金庫へ物理力が行使され、家屋内に煙又は熱が生じたことは確認できるが、その家屋に泥棒が入って放火したのか、その家屋が漏電による火事に遭い、その家屋に住んでいた住人が金庫を持ち出すために窓ガラスを破壊したのかは確認ができないし、さらにその家屋に住んでいた住人がその際に死亡したのかどうかは確認できない。
【０００５】
そこで、本発明では、所定事実の有無の確認について人の認識や判断を要するような該所定事実の有無を確認することができる確認装置を提供することを目的とする。
【課題を解決するための手段】
【０００６】
本発明の確認装置（以下、「本確認装置」という。）は、少なくとも２以上の確認者によって所定事実の有無を確認する確認装置であって、確認者それぞれの連絡先を記憶する確認者情報記憶手段と、１の確認者である通報者からの該所定事実の存在を肯定する通報信号を受け付ける通報信号受付手段と、通報信号受付手段が通報信号を受け付けた後、通報者以外の確認者の連絡先を確認者情報記憶手段から読み出す確認者連絡先読出手段と、確認者連絡先読出手段により読み出し取得された連絡先に、該所定事実の有無に関する操作である有無確認操作を要求する通知である有無確認要求通知を送信する有無確認要求手段と、通報者以外の確認者の有無確認操作に関する信号を受け付ける有無信号受付手段と、有無信号受付手段により受け付けられた有無確認操作に関する信号のうち、該所定事実が存在することを示す有操作を発した確認者の数に基づき、該所定事実が存在すると判断する存在判断手段と、を備えてなる、確認装置である。
【０００７】
本確認装置は、少なくとも２以上の確認者によって所定事実の有無を確認する確認装置である。所定事実の有無を複数（少なくとも２以上）の確認者により確認することで、１の確認者により確認する場合に比し、正確な確認が可能になる。
本確認装置は、確認者情報記憶手段と、通報信号受付手段と、確認者連絡先読出手段と、有無確認要求手段と、有無信号受付手段と、存在判断手段と、を備えてなる。
確認者情報記憶手段は、確認者それぞれの連絡先を記憶するものであり、確認者の連絡先に加え、他の情報（例えば、確認者の氏名、確認者の生年月日や性別等）も併せて記憶するものであってもよい。
通報信号受付手段は、１の確認者である通報者（２以上の確認者のうちのいずれか一人）からの該所定事実の存在を肯定する通報信号を受け付ける。
確認者連絡先読出手段は、通報信号受付手段が通報信号を受け付けた後、通報者以外の確認者（例えば、確認者Ａ、確認者Ｂ及び確認者Ｃの３の確認者がいた場合、確認者Ｂが通報者になったときは、確認者Ａ及び確認者Ｃである。）の連絡先を確認者情報記憶手段から読み出す。このとき確認者連絡先読出手段は、通報者以外の確認者の連絡先のみならず、確認者情報記憶手段が前記他の情報を記憶している場合には、前記他の情報の一部又は全部を併せて読み出すようにしてもよい。
有無確認要求手段は、確認者連絡先読出手段により読み出し取得された連絡先に、有無確認要求通知を送信する。有無確認要求通知は、該所定事実の有無に関する操作である有無確認操作を、通報者以外の確認者に要求する通知である。
有無信号受付手段は、通報者以外の確認者の有無確認操作に関する信号を受け付ける。
存在判断手段は、有無信号受付手段により受け付けられた有無確認操作に関する信号のうち、該所定事実が存在することを示す有操作を発した確認者の数に基づき、該所定事実が存在すると判断する。「有無確認操作に関する信号のうち、有操作を発した確認者の数」とは、有無確認操作に関する信号が、有操作に関する信号と、該所定事実が無いことを示す無操作に関する信号と、の両方を含む場合であれば、該両方のうち有操作を発した確認者の数であり、有無確認操作に関する信号が、有操作に関する信号のみとする場合であれば、有無確認操作に関する信号を発した確認者の数である。そして、「有操作を発した確認者の数に基づき、該所定事実が存在すると判断する」方法は、種々の方法を採用することができるが、例えば、（１）有操作を発した確認者の数Ｎが、確認者全員Ｍに対する割合（Ｎ／Ｍ）が所定値以上になった場合に該所定事実が存在すると判断する方法、（２）有操作を発した確認者の数Ｎが所定値以上になった場合に該所定事実が存在すると判断する方法、（３）有操作を発した確認者の数Ｎが、確認者全員Ｍのうち通報者以外の全員（Ｍ−１）になった場合に該所定事実が存在すると判断する方法等を挙げることができる。
かかる本確認装置においては、通報信号受付手段が通報者からの該所定事実の存在を肯定する通報信号を受け付けた後、確認者連絡先読出手段が、通報者以外の確認者の連絡先を確認者情報記憶手段から読み出し、有無確認要求手段が、確認者連絡先読出手段により読み出し取得された連絡先（通報者以外の確認者の連絡先）に有無確認要求通知（該所定事実の有無に関する操作である有無確認操作を要求する通知）を送信し（有無確認要求通知を受け取った通報者以外の確認者は、該所定事実の有無に関する操作である有無確認操作を行う。）、有無信号受付手段が、通報者以外の確認者の有無確認操作に関する信号を受け付け、そして存在判断手段が、有無信号受付手段が受け付けた有無確認操作に関する信号のうち有操作を発した確認者の数に基づいて該所定事実が存在すると判断するものである。これにより、本確認装置においては、少なくとも２以上の確認者によって所定事実の有無を確認することができるので、所定事実の有無の判断について人の認識や判断を要するような該所定事実の有無を正確に確認することができる。
【０００８】
本確認装置においては、確認者の候補である確認候補者それぞれの連絡先である候補者連絡先を記憶する候補者情報記憶手段と、候補者情報記憶手段から候補者連絡先を読み出す候補者連絡先読出手段と、候補者連絡先読出手段により読み出し取得された候補者連絡先に、確認候補者が確認者になることを承諾するか否かを示す操作である諾否操作を要求する通知である諾否確認要求通知を送信する候補者諾否操作要求手段と、確認候補者からの諾否操作に関する信号である諾否信号を受け付ける諾否信号受付手段と、を備えてなり、確認者情報記憶手段は、諾否信号受付手段により受け付けられた諾否信号が、確認者になることを承諾する操作である承諾操作をしたことを示す承諾信号である確認候補者を確認者として連絡先を記憶するもの（以下、「候補者諾否要求装置」という。）であってもよい。
候補者諾否要求装置は、候補者情報記憶手段と、候補者連絡先読出手段と、候補者諾否操作要求手段と、諾否信号受付手段と、を備えてなる。
候補者情報記憶手段は、確認者の候補である確認候補者それぞれの連絡先である候補者連絡先を記憶する。確認候補者は、確認者になる前の候補者であり、例えば、候補者諾否要求装置の使用者等が、該所定事実の有無を確認するのに適している者を選抜して候補者としてもよい。なお、候補者情報記憶手段は、候補者連絡先に加え、他の情報（例えば、候補者の氏名、生年月日、性別等）も併せて記憶するものであってもよい。
候補者連絡先読出手段は、候補者情報記憶手段から候補者連絡先を読み出すものであり、候補者連絡先読出手段は、候補者連絡先のみならず、候補者情報記憶手段が該他の情報を記憶している場合には、該他の情報の一部又は全部を併せて読み出すようにしてもよい。
候補者諾否操作要求手段は、候補者連絡先読出手段により読み出し取得された候補者連絡先に諾否確認要求通知を送信する。諾否確認要求通知は、確認候補者が確認者になることを承諾するか否かを示す操作である諾否操作を要求する通知である。この諾否確認要求通知を受け取った確認候補者は、確認候補者自身が確認者になることを承諾するか否かを示す操作である諾否操作を行う。
諾否信号受付手段は、確認候補者からの諾否操作に関する信号である諾否信号を受け付ける。
そして、確認者情報記憶手段は、諾否信号受付手段により受け付けられた諾否信号が、確認者になることを承諾する操作である承諾操作をしたことを示す承諾信号である確認候補者を確認者として連絡先を記憶する。
これにより確認候補者を選定すれば、確認候補者それぞれに確認者になることを承諾するか否かを確認し、確認者になることを承諾した確認候補者を確認者として確認者情報記憶手段が記憶することから、確認者の選定に際して候補者の意思確認を本確認装置が行うことから、面倒な意思確認を本確認装置の使用者が行う必要がなく、本確認装置の使用を便ならしめる。
【０００９】
候補者諾否要求装置においては、確認者情報記憶手段は、候補者情報記憶手段に記憶された確認候補者と、該確認候補者が承諾信号を発したことと、を関連付けて記憶するものであってもよい。
こうすることで候補者情報記憶手段が記憶した確認候補者に、該確認候補者が承諾信号を発したことを関連付けて記憶することで確認者情報記憶手段を構成できるので、候補者情報記憶手段と確認者情報記憶手段とを別個に構成する必要がなく、本確認装置の動作負担を軽減できる。
【００１０】
候補者諾否要求装置においては、確認候補者が諾否操作を行う諾否用ウエブページを確認候補者に対応して作成し、該作成した諾否用ウエブページをインターネット上に公開する諾否用ウエブページ作成手段を備えてなり、候補者諾否操作要求手段が、諾否用ウエブページにおいて諾否操作を要求する諾否確認要求通知を送信し、諾否信号受付手段が、諾否用ウエブページにおける諾否操作に関する諾否信号を受け付けるもの（以下、「ウエブ諾否装置」という。）であってもよい。
こうすることで、諾否用ウエブページ作成手段が、確認候補者が諾否操作を行うための諾否用ウエブページを確認候補者に対応して作成し、該作成した諾否用ウエブページをインターネット上に公開する（通常、確認候補者それぞれの諾否用ウエブページを作成し公開する。）。そして、候補者諾否操作要求手段が、諾否用ウエブページにおいて諾否操作を要求する諾否確認要求通知を確認候補者に送信し、諾否信号受付手段が、諾否用ウエブページにおける諾否操作に関する諾否信号を受け付ける。これにより確認候補者が諾否用ウエブページにおいて諾否操作を行うことができるので、確認候補者が容易かつ確実に諾否操作を行うことができる。
【００１１】
ウエブ諾否装置においては、候補者諾否操作要求手段が、諾否用ウエブページのインターネット上のアドレスを内容に含む電子メールを作成し、諾否確認要求通知として該電子メールを候補者連絡先に送信するものであってもよい。
候補者諾否操作要求手段は、諾否用ウエブページにおいて諾否操作を要求する諾否確認要求通知を送信するが、その際、諾否用ウエブページのインターネット上のアドレスを内容に含む電子メールを作成し、諾否確認要求通知として該電子メールを候補者連絡先に送信するようにすれば、確認候補者が諾否用ウエブページに容易かつ確実にアクセスできるので、確認候補者の使用を便ならしめる。
【００１２】
本確認装置においては、前記所定事実が対象者の死亡であってもよい。
ある人（対象者）が死亡した事実は、対象者に関係がある者にとって大きな影響を与えうる（例えば、相続）ものであるので、死亡の事実が誤って確認されることは大きな問題を生じうる。
かかる対象者の死亡の存否について、本確認装置によって少なくとも２以上の確認者により確認することで、正確な確認が可能になるので好ましい。
【００１３】
本確認装置においては、存在判断手段が、前記有操作を発した確認者が、通報者以外の確認者全員になったときに前記所定事実が存在すると判断するものであってもよい。
こうすることで、確認者全員が該所定事実が存在すると判断した場合（確認者のうち通報者は通報信号により該所定事実が有ることを肯定し、通報者以外の確認者は全員が有操作により該所定事実が有ることを肯定する。）に、存在判断手段が前記所定事実が存在すると判断することから、前記所定事実が存在しない状況において誤って存在すると判断することを効果的に防止することができる（例えば、対象者の死亡を前記所定事実とする場合、死亡していないのに死亡していると判断されることは対象者にとって大きな不利益を生じることから、かかる場合は特にこのような判断が好ましい。）。
【００１４】
本発明は、本確認装置を含んでなるコンテンツ提示装置（以下、「本提示装置」という。）を提供する。
即ち、本提示装置は、本確認装置を含んでなり、本確認装置が前記所定事実が存在すると判断した場合に所定のコンテンツを宛先者に提示するコンテンツ提示装置であって、提示するコンテンツを記憶するコンテンツ記憶手段と、該確認装置が該所定事実が存在すると判断した後、コンテンツ記憶手段が記憶しているコンテンツを宛先者に提示するコンテンツ提示手段と、を備えてなる、コンテンツ提示装置である。
本提示装置は、本確認装置と、コンテンツ記憶手段と、コンテンツ提示手段と、
を備えてなる。
コンテンツ記憶手段は、本提示装置が提示するコンテンツを記憶する。なお、コンテンツとは、宛先者に提示する内容そのものや、宛先者に提示する内容がインターネット上に存在する場合にそのインターネット上におけるアドレスも含む概念である。
コンテンツ提示手段は、本確認装置が該所定事実が存在すると判断した後、コンテンツ記憶手段が記憶しているコンテンツを宛先者に提示する。なお、「コンテンツを宛先者に提示する」ことは、コンテンツの性質に応じて宛先者がコンテンツを利用できるようにすればよく、その方法や態様は様々なものであってもよく、例えば、目視可能なコンテンツであれば、本提示装置に付属する画面に表示したり、宛先者が使用する画面に表示するようにしてもよく、音のコンテンツ（聴取可能）であれば、本提示装置に付属する再生装置により再生したり、宛先者が使用する再生装置により再生するようにしてもよい。また、宛先者側の画面や再生装置を用いる場合には、宛先者宛てにコンテンツを電子メールによって送信するようにしてもよい。
これによって本提示装置は、本確認装置が前記所定事実の有無を確認し、本確認装置が前記所定事実が存在すると確認した場合、所定のコンテンツを宛先者に提示するものであるので、前記所定事実が存在することを条件として、所定のコンテンツを宛先者に提示することができる。
【００１５】
本提示装置においては、宛先者が複数存すると共に、コンテンツ記憶手段が複数種類のコンテンツを記憶しているものであり、宛先者それぞれに対して、コンテンツ記憶手段が記憶した複数種類のコンテンツのいずれを提示するかを示すコンテンツ対応関係を記憶するコンテンツ対応関係記憶手段を有してなり、コンテンツ提示手段が、コンテンツ対応関係記憶手段が記憶するコンテンツ対応関係に従って、宛先者にコンテンツを提示するもの（以下、「個別提示装置」という。）であってもよい。
宛先者が複数存すると共に、コンテンツ記憶手段が複数種類のコンテンツを記憶している場合、コンテンツ対応関係記憶手段が、宛先者それぞれに対して、コンテンツ記憶手段が記憶した複数種類のコンテンツのいずれを提示するかを示すコンテンツ対応関係を記憶すると共に、コンテンツ提示手段が、コンテンツ対応関係記憶手段が記憶するコンテンツ対応関係に従って、宛先者にコンテンツを提示するようにすれば、宛先者ごとに異なるコンテンツを提示することが可能になり、各宛先者に応じたコンテンツの提示が可能になる。
【００１６】
個別提示装置において、複数種類のコンテンツのうち宛先者それぞれに提示するものを指定する情報であるコンテンツ指定情報を受け付けるコンテンツ指定情報受付手段を有してなり、コンテンツ対応関係は、コンテンツ指定情報受付手段により受け付けられたコンテンツ指定情報であってもよい。
宛先者それぞれに対して、コンテンツ記憶手段が記憶した複数種類のコンテンツのいずれを提示するかを示すコンテンツ対応関係は、予め定められていてもよいが、コンテンツ指定情報受付手段が、コンテンツ記憶手段が記憶している複数種類のコンテンツのうちいずれを各宛先者に提示するかを示す情報であるコンテンツ指定情報を受け付け、コンテンツ対応関係記憶手段が、コンテンツ対応関係としてコンテンツ指定情報を記憶し、コンテンツ提示手段が、コンテンツ対応関係記憶手段が記憶するコンテンツ対応関係（コンテンツ指定情報）に従って、宛先者にコンテンツを提示するようにしてもよい。こうすることで複数種類のコンテンツのうち宛先者それぞれに提示するものを容易かつ迅速に指定できる。なお、複数種類のコンテンツのうち宛先者それぞれに提示するものを指定する作業は、さまざまに行いうるが、例えば、複数種類のコンテンツを画面に表示し、それらの中から宛先者それぞれに提示するものを指定（例えば、コンピュータ画面において該当するコンテンツをクリックしたり、各種類のコンテンツに一対一で対応するコンテンツ特定情報（例えば、特定番号）を入力デバイスにて入力する。）することで行われてもよい。
【００１７】
個別提示装置において、宛先者それぞれの連絡先を記憶する宛先者情報記憶手段を備えてなり、コンテンツ提示手段が、コンテンツ対応関係に従って各宛先者に提示するコンテンツを含む宛先者ウエブページを各宛先者に対応して作成し、該作成した宛先者ウエブページをインターネット上に公開する宛先者ウエブページ作成手段と、宛先者情報記憶手段が記憶している宛先者の連絡先を読み出し取得する宛先者連絡先読出手段と、宛先者ウエブページ作成手段により作成された宛先者ウエブページのインターネット上のアドレスを該宛先者ウエブページに対応する宛先者に、宛先者連絡先読出手段により読み出し取得された該宛先者の連絡先に送信する宛先者ウエブページアドレス送信手段と、を有してなるものであってもよい。
宛先者情報記憶手段が宛先者それぞれの連絡先を記憶する。
コンテンツ提示手段が宛先者ウエブページ作成手段と宛先者連絡先読出手段と宛先者ウエブページアドレス送信手段とを有してなる。宛先者ウエブページ作成手段は、コンテンツ対応関係に従って各宛先者に提示するコンテンツを含む宛先者ウエブページを各宛先者に対応して作成し、該作成した宛先者ウエブページをインターネット上に公開する。宛先者連絡先読出手段は、宛先者情報記憶手段が記憶している宛先者の連絡先を読み出し取得する。そして、宛先者ウエブページアドレス送信手段は、宛先者ウエブページ作成手段により作成された宛先者ウエブページのインターネット上のアドレスを、該宛先者ウエブページの宛先者に、宛先者連絡先読出手段により読み出し取得された該宛先者の連絡先に送信する。
これによって、宛先者ウエブページが各宛先者に対応して作成されてインターネット上に公開され、宛先者ウエブページのインターネット上のアドレスを宛先者に送信するので、宛先者は宛先者ウエブページに正確かつ容易にアクセス（閲覧）でき、宛先者ウエブページにおいてコンテンツを宛先者に提示するので宛先者に正確かつ容易にコンテンツを提示できる。
【００１８】
本提示装置においては、前記所定事実が、対象者の死亡であり、前記コンテンツが、該対象者が生前に前記宛先者に提示を希望するものであってもよい。
ある人（対象者）が死亡した事実は、対象者に関係がある者にとって大きな影響を与えうる（例えば、相続）ものであるので、死亡の事実が誤って確認されると大きな問題になりうる。かかる対象者の死亡について、本確認装置によって少なくとも２以上の確認者により確認することで、正確な確認が可能になる。そして、対象者の死亡が確認された際、提示するコンテンツとしては、対象者が生前に宛先者に提示を希望するものとしてもよい。一例としては、対象者が生前に親しくしていた友人、知人、肉親、家族を宛先者として、対象者が宛先者に向けたメッセージ、画像、動画等を提示するコンテンツとすることが挙げられる。
【００１９】
本確認装置は、所定のプログラムをコンピュータに実行させることで実現させることができ、さらに、かかるプログラムはコンピュータ読みとり可能な記憶媒体に記録することができる。
本提示装置は、所定のプログラムをコンピュータに実行させることで実現させることができ、さらに、かかるプログラムはコンピュータ読みとり可能な記憶媒体に記録することができる。
【図面の簡単な説明】
【００２０】
【図１】一実施形態の本装置のハードウエア構成を示す概略ブロック図である。
【図２】コンピュータ本体の基本構成を示す機能ブロック図である。
【図３】対象者確認者情報記憶領域に記憶された一対象者に関する情報の一例である。
【図４】確認者ウエブページの一例である。
【図５】宛先者ウエブページの一例である。
【図６】宛先者情報記憶領域に記憶された一対象者に関する情報の一例である。
【図７】メッセージ記憶領域に記憶された一対象者に関する情報の一例である。
【図８】対象者確認者情報記憶領域に記憶された一対象者に関する情報の一例である。
【図９】対象者確認者情報記憶領域に記憶された一対象者に関する情報の一例である。
【図１０】宛先者情報記憶領域に記憶された一対象者に関する情報の一例である。
【図１１】候補確認操作の前半の動作を示すフローチャート図である。
【図１２】候補確認操作の後半の動作を示すフローチャート図である。
【図１３】メッセージ指定操作の動作を示すフローチャート図である。
【図１４】対象者の死亡を確認する動作（死亡確認動作）を示すフローチャート図である。
【図１５】ｓ３２１以降の動作を示すフローチャート図である。
【図１６】ｓ３４１以降の動作を示すフローチャート図である。
【図１７】ｓ３５３以降の動作を示すフローチャート図である。
【図１８】ｓ３７５以降の動作を示すフローチャート図である。
【図１９】ｓ３９７以降の動作を示すフローチャート図である。
【図２０】ｓ４０１以降の動作を示すフローチャート図である。
【図２１】ｓ５０１以降の動作を示すフローチャート図である。
【発明を実施するための形態】
【００２１】
以下、本発明の実施の形態を図面を参照して説明する。しかしながら、これらによって本発明は何ら制限されるものではない。
【００２２】
図１は、一実施形態の本装置１０（本確認装置及び本提示装置を構成する）のハードウエア構成を示す概略ブロック図である。図１を参照して、一実施形態の本装置１０のハードウエア構成について説明する。本装置１０は、インターネット回線３０１を通じてデータを自由に送受可能なコンピュータ本体１１（所定のプログラムを記憶させて構成されている）と、コンピュータ本体１１に取り付け接続された表示部１３（ディスプレイ）と、コンピュータ本体１１に取り付け接続された入力部１５（図中にはキーボードを図示しているが、これと共に又はこれに替えてマウスのようなポインティングデバイスを用いてもよい）と、コンピュータ本体１１に取り付け接続された記憶部１７（具体的には、大容量のハードディスク記憶装置により構成される）と、を備えてなり、いわゆるサーバと呼ばれる装置を構成している。
コンピュータ本体１１は、演算処理を行うＣＰＵ１１ａと、ＣＰＵ１１ａの作業領域等となるＲＡＭ１１ｂと、制御プログラム等を記録するＲＯＭ１１ｃと、表示部１３、入力部１５及び記憶部１７等と情報のやり取りを行うためのインターフェイス１１ｄと、を有してなる。なお、ここでは制御プログラム等はＲＯＭ１１ｃに記憶されているが、それ以外の記憶装置（例えば、ハードディスク等）に記憶するようにしてよいことは言うまでもない。
【００２３】
図２に、図１のハードウエアと主としてＲＯＭ１１ｃに記録されるプログラムにより実現されるコンピュータ本体１１の基本構成を示す機能ブロック図を示す。図２を参照して、コンピュータ本体１１の基本構成について説明する。
コンピュータ本体１１は、機能的には、受付部２１、確認者情報読書部２３、確認者ウエブページ作成部２５、確認メール作成部２７、ページ公開部２９、送受信部３１、宛先者情報読書部３５、画像出力部３７、メッセージ読出部３９、メッセージ特定情報受信部４１、死亡確認メール作成部５１、宛先者ウエブページ作成部６１、宛先者メール作成部６３を含んでなる。
【００２４】
記憶部１７は、対象者確認者情報記憶領域１７ａと、ウエブページ記憶領域１７ｂと、宛先者情報記憶領域１７ｃと、メッセージ記憶領域１７ｄと、に分割された記憶領域を含んでいるが、これらは１のハードディスクの記憶領域を分割することでここでは各々の記憶領域が形成されている（無論、これら各々の記憶領域が、別々のハードディスク等によって構成されてもよい。）。
【００２５】
対象者確認者情報記憶領域１７ａは、一例として図３のように、本装置１０によって死亡が確認される対象者と、対象者の死亡を確認する２以上の確認者と、の情報を予め関連付けて記憶している。なお、図３には、一人の対象者に関する情報が記載されているが、実際には、対象者確認者情報記憶領域１７ａには、図３に示すような各対象者の情報が予め複数記憶されている。ここでは具体的には、図３に示す通り、対象者の氏名、住所、メールアドレス、性別及び生年月日を記憶すると共に、確認者各々の氏名及びメールアドレスを記憶しており、図３では、対象者「笠原英俊」の氏名、住所、メールアドレス、性別及び生年月日が具体的に記憶され、確認者１「特許太郎」の氏名及びメールアドレスが具体的に記憶され、そして確認者２「商標花子」の氏名及びメールアドレスが具体的に記憶されている。なお、図３において、確認者１及び確認者２それぞれに「認証」の欄が設けられているが、これは確認者各々が確認者になることを承諾したか否かを書き込み記憶するための欄である。図３には、「確認者１」及び「確認者２」と記載しているが、確認者各々が確認者になることを承諾（「認証」の欄に「１」が書き込まれる）するまでは、確認者１、２は本発明にいう「確認者の候補である確認候補者」であり、確認者各々が確認者になることを承諾（「認証」の欄に「１」が書き込まれる）した後は、本発明にいう確認者である。さらに、図３において、確認者１及び確認者２それぞれに「死亡」の欄が設けられているが、これは確認者各々が、対象者が死亡したことを確認した場合に数字（例えば１や２）が書き込まれ記憶される欄である。ここでは確認者は確認者１及び確認者２の２人が登録されているが、これに限定されるものではなく、３人、４人、５人・・・としてもよい。
【００２６】
ウエブページ記憶領域１７ｂは、本装置１０がインターネット回線３０１を通じて公開するウエブページのデータを記憶する領域であり、具体的には、確認者それぞれに対応するウエブページ（以下、「確認者ウエブページ」という。）と、宛先者それぞれに対応するウエブページ（以下、「宛先者ウエブページ」という。）と、を記憶する。これら確認者ウエブページと宛先者ウエブページとは、後述のように本装置１０の動作により形成されるものであり、本装置１０の動作開始時にはこれらのウエブページは記憶されていない。
図４に、本装置１０の動作により形成される確認者ウエブページの一例を示しており、具体的には、図４の確認者ウエブページには対象者の氏名（ここでは「笠原英俊」）、この確認者ウエブページに対応する確認者（この時点では確認候補者）の氏名（ここでは「特許太郎」）、確認者承諾（認証）の有無（図４では、確認者になることの承諾がまだとれていないので空欄）、対象者の死亡確認（図４では、確認者「特許太郎」が対象者の死亡をまだ確認していないので空欄）のそれぞれを示す欄が設けられており、確認者からの要求により、このようなウエブページを確認者の情報端末（例えば、パーソナルコンピュータ、所謂スマートフォン、携帯電話等）に表示する（該表示されたウエブページを該情報端末により操作することができる。）。
図５に、本装置１０の動作により形成される宛先者ウエブページの一例を示しており、具体的には、図５においては対象者の氏名（ここでは「笠原英俊」）、この宛先者ウエブページに対応する宛先者の氏名（ここでは「岡山一郎」）、状況を説明する文章（ここでは「対象者の死亡が確認されました。対象者からの下のメッセージをお受けとりください。」）、そして対象者から宛先者に送られたメッセージ（ここでは、「おかげ様で楽しい人生でした。」、「がんばってください。」・・・）のそれぞれを示す欄が設けられており、宛先者からの要求により、このようなウエブページを宛先者の情報端末（例えば、パーソナルコンピュータ、所謂スマートフォン、携帯電話等）に表示する。
【００２７】
宛先者情報記憶領域１７ｃは、各対象者ごとに、対象者が死亡した後、対象者からのメッセージを受け取る宛先者に関する情報を記憶している。一例として図６のように、本装置１０によって死亡が確認される対象者と、対象者の死亡の後にメッセージを送る宛先者と、の情報を予め関連付けて記憶している。なお図６には、一人の対象者に関する宛先者の情報が記載されているが、実際には、宛先者情報記憶領域１７ｃには、図６に示すような各対象者の情報が予め複数記憶されている。ここでは具体的には、図６に示す通り、対象者の氏名、住所、メールアドレス、性別及び生年月日を記憶すると共に、宛先者各々の氏名、メールアドレス及び閲覧（有無）を記憶しており、詳細には、図６では、対象者「笠原英俊」の氏名、住所、メールアドレス、性別及び生年月日が具体的に記憶され、宛先者１「岡山一郎」の氏名、メールアドレス及び閲覧（有無）が具体的に記憶され、宛先者２「津山美子」の氏名、メールアドレス及び閲覧（有無）が具体的に記憶され、そして宛先者３「笠岡二郎」の氏名、メールアドレス及び閲覧（有無）が具体的に記憶されている。なお、各宛先者に関連付けられた閲覧（有無）の欄は、後述のように、対象者が死亡した後、各宛先者が宛先者ウエブページ（例えば、図５）を閲覧したか否かを示すこと（例えば、数字の「１」）を書き込み記憶するものである。そして図６において、宛先者１〜３それぞれに「メッセージ」の欄が設けられているが、これは宛先者それぞれに送るメッセージを特定する番号（後述の如く、この番号とメッセージとが一対一の関係になっている）を書き込むための欄である。ここでは宛先者は宛先者１〜３の３人が登録されているが、これに限定されるものではなく、１人、２人、４人、５人、６人、７人・・・等としてもよい。
なお、ここでは図６のように、対象者と、該対象者の死亡の後にメッセージを送る宛先者と、が既に関連付けて記憶されているが、宛先者情報記憶領域１７ｃには、まず対象者の情報（氏名、住所、メールアドレス、性別及び生年月日）を記憶させた後、宛先者が決定されていない状態（例えば、対象者が宛先者をまだ決定していない場合）であることもあり得るが、かかる状態において対象者が死亡した際には、後述するように、対象者からのメッセージは送信されない。
【００２８】
メッセージ記憶領域１７ｄは、各対象者ごとに、対象者が死亡した後に対象者から宛先者に送るメッセージと、該メッセージのメッセージ番号（メッセージとメッセージ番号とは一対一の対応関係をなす）と、を関連付けて記憶している。具体的には、図７に示すように、対象者「笠原英俊」に関し、メッセージ番号１、２、３、４・・・・それぞれに対応してメッセージ内容「お世話になりました。」、「おかげ様で楽しい人生でした。」、「家族をこれまで同様にご指導ください。」、「がんばってください。」・・・・が記憶されている。なお、図７は、一人の対象者に関するものであり、実際には、メッセージ記憶領域１７ｄには、図７に示すような対象者毎のメッセージが複数記憶されている。また、図７においては、メッセージ内容として、文章のみが示されているがこれに限定されるものではなく、例えば、画像、動画、音（肉声等を含む）等としてもよい。
【００２９】
まず、コンピュータ本体１１は、入力部１５の操作によって、確認者の候補（確認候補者）が確認者になることを承諾するか否かを確認する動作（以下、「候補確認操作」という）が選択された場合（例えば、コンピュータ本体１１が動作を開始すると、表示部１３に機能を選択する画面が表示され、その中から候補確認操作を選択する。）、入力部１５から対象者を特定する信号（対象者特定信号：例えば対象者の氏名でもよい。）が入力されると、対象者特定信号を受付部２１が受信し、受信した対象者特定信号を確認者情報読書部２３へ送信する。
対象者特定信号を受信した確認者情報読書部２３は、記憶部１７の対象者確認者情報記憶領域１７ａへアクセスし、該対象者特定信号に合致する対象者に係る対象者確認者情報記憶領域１７ａの記憶内容を特定し、該記憶内容に含まれる１の確認者（この時点では確認候補者）の氏名及びメールアドレスを読み出し取得する（該記憶内容が図３であれば、例えば、確認者１の氏名「特許太郎」及びメールアドレス「ｔａｒｏ＠・・・・」。確認者の番号が小さいものから順番に読み出す。）。そして、確認者情報読書部２３は、該読み出し取得した１の確認者の氏名及びメールアドレスと、対象者特定信号と、を確認者ウエブページ作成部２５及び確認メール作成部２７へ並列的に送信する。確認者の氏名及びメールアドレスと、対象者特定信号と、を受信した確認者ウエブページ作成部２５は、該確認者用の確認者ウエブページ（例えば、前述の図４。確認者ウエブページは、確認者（確認候補者）が自己が確認者になることの諾否や、対象者の死亡を知らせる機能を有している。）のデータを生成し、そのウエブページデータをページ公開部２９へ送信する。そのウエブページデータを受信したページ公開部２９は、記憶部１７のウエブページ記憶領域１７ｂに該ウエブページデータを書き込み記憶させると共に（これにより該ウエブページはインターネット回線３０１を通じて公開される。）、該ウエブページのＵＲＬを取得し、該ＵＲＬを確認メール作成部２７へ送信する。
該ＵＲＬを受信した確認メール作成部２７は、既に受信し記憶している該１の確認者（確認候補者）の氏名及びメールアドレスと、該ＵＲＬと、を用いて、該１の確認者（確認候補者）に該ＵＲＬに存するウエブページにアクセスし認証を行うことを促す所定形式の電子メール（例えば、本文として「・・・・様  ある方が死亡した際にその死亡事実を確認する確認者になることを貴台が依頼されています。次のＵＲＬのウエブページにアクセスして、この確認者になることの諾否をお知らせください。  ＵＲＬ  ｈｔｔｐ：／／ｗｗｗ．ａｂｃｄ・・・・」といったメール）のデータを作成し、該電子メールのデータを送受信部３１に送信することで該電子メールをインターネット回線３０１を通じて該メールアドレスに送信させる。該電子メールを送信した確認メール作成部２７は、確認者情報読書部２３に起動信号を送信する。
【００３０】
確認メール作成部２７から該起動信号を受信した確認者情報読書部２３は、記憶部１７の対象者確認者情報記憶領域１７ａへアクセスし、既に受信している該対象者特定信号に合致する対象者に係る対象者確認者情報記憶領域１７ａの記憶内容を特定し、未だ読み出していない確認者（確認候補者）が該記憶内容に含まれているか否か判断し、含まれていれば未だ読み出していない１の確認者（確認候補者）の氏名及びメールアドレスを読み出し取得する（該記憶内容が図３であれば、例えば、確認者２の氏名「商標花子」及びメールアドレス「ｈａｎａｋｏ＠・・・・」）。そして、確認者情報読書部２３は、読み出し取得した該１の確認者（確認候補者）の氏名及びメールアドレスと、対象者特定信号と、を確認者ウエブページ作成部２５及び確認メール作成部２７へ並列的に送信し、上述の動作を繰り返す。なお、確認者情報読書部２３が、該対象者特定信号に合致する対象者に係る対象者確認者情報記憶領域１７ａの記憶内容に、未だ読み出していない確認者（確認候補者）がいないと判断すれば（例えば、図３において確認者１及び確認者２のいずれも読み出しが完了していれば、未だ読み出していない確認者（確認候補者）がいないと判断する。）、動作を終了する。
【００３１】
確認メール作成部２７からの該電子メールを送信した送受信部３１は、確認者（確認候補者）からのアクセス有無を判断（検出）し、確認者（確認候補者）からのアクセスがあると判断した場合には、記憶部１７のウエブページ記憶領域１７ｂにアクセスし、該確認者（確認候補者）に対応する確認者ウエブページのデータを該確認者（確認候補者）にインターネット回線３０１を通じて送信する（これにより確認者ウエブページが、該確認者（確認候補者）の情報端末（例えば、パーソナルコンピュータ、所謂スマートフォン、携帯電話等）に表示される。そして該確認者（確認候補者）は、該確認者（確認候補者）の情報端末を操作することで、該確認者ウエブページにて承諾（自分自身が確認者になることを承諾）の操作を行うことができる。）。そして、送受信部３１は、該確認者（確認候補者）が該確認者ウエブページにて操作したことを示す信号（操作信号）を受信したか否か判断し、操作信号を受信したと判断すると、操作信号が承諾（自分自身が確認者になることを承諾）したことを示すものか否か判断する。操作信号が承諾するものであると判断した場合には、送受信部３１は、記憶部１７の対象者確認者情報記憶領域１７ａにおける該確認者の「認証」の欄（図３参照）に「１」を書き込むことと、記憶部１７のウエブページ記憶領域１７ｂの該確認者の確認者ウエブページの「確認者承認（認証）」の欄（図４参照）に「１」を書き込むこと、とを確認者情報読書部２３に命令する。この書込命令に従い、確認者情報読書部２３は、対象者確認者情報記憶領域１７ａにおける該確認者の「認証」の欄と、ウエブページ記憶領域１７ｂの該確認者の確認者ウエブページの「確認者承認（認証）」の欄と、に「１」を書き込み記憶させる（例えば、図３の確認者１の「認証」の欄と、図４の「確認者承認（認証）」の欄と、の両方に「１」を書き込み記憶させる。）。これにより本発明にいう確認候補者が確認者になる。
【００３２】
コンピュータ本体１１は、入力部１５の操作によって、各宛先者に宛てるメッセージを指定する動作（以下、「メッセージ指定操作」という）が選択された場合（例えば、コンピュータ本体１１が動作を開始すると、表示部１３に機能を選択する画面が表示され、その中からメッセージ指定操作を選択する。）、入力部１５から対象者を特定する信号（対象者特定信号：例えば対象者の氏名でもよい。）が入力されると、対象者特定信号を受付部２１が受信し、受信した対象者特定信号を宛先者情報読書部３５へ送信する。
対象者特定信号を受信した宛先者情報読書部３５は、記憶部１７の宛先者情報記憶領域１７ｃにアクセスし、対象者特定信号に合致する対象者に関連付けられた宛先者の情報（例えば、図６）を特定し、１の宛先者の氏名及びメールアドレスを読み出し取得する（宛先者の番号が小さいものから順番に読み出す。例えば、図６においては、宛先者の氏名「岡山一郎」及びメールアドレス「ｉｃｈｉｒｏ＠・・・・」を読み出し取得する。）。そして、宛先者情報読書部３５は、対象者特定信号と、該読み出し取得した宛先者の氏名及びメールアドレスと、を画像出力部３７、メッセージ読出部３９及びメッセージ特定情報受信部４１へ並列的に送信する。
これら対象者特定信号、宛先者の氏名及びメールアドレスを受信したメッセージ読出部３９は、記憶部１７のメッセージ記憶領域１７ｄにアクセスし、対象者特定信号に合致する対象者に関連付けられて記憶されているメッセージ番号及びメッセージ内容（例えば、図７）を読み出し取得する。そして、メッセージ読出部３９は、読み出し取得したメッセージ番号及びメッセージ内容を画像出力部３７に送信する。
宛先者の氏名及びメールアドレスと、メッセージ番号及びメッセージ内容と、を受信した画像出力部３７は、これらの情報を表示部１３に表示し、受付部２１に起動信号を送信する。
【００３３】
本装置１０の使用者（例えば、対象者）は、表示部１３に表示されたこれらの情報（宛先者の氏名及びメールアドレス、メッセージ番号及びメッセージ内容）を見て、その宛先者に送りたいメッセージ内容に対応するメッセージ番号を入力部１５から入力する。
表示部１３に前記情報を表示した後、メッセージ番号を受付部２１が受け付けたか判断し、メッセージ番号を受け付けたと判断した場合には、該受け付けたメッセージ番号をメッセージ特定情報受信部４１に送信する。
メッセージ番号を受信したメッセージ特定情報受信部４１は、既に受信している対象者特定信号及び宛先者氏名と、該受信したメッセージ番号と、を宛先者情報読書部３５へ送信し、これを受けた宛先者情報読書部３５は、記憶部１７の宛先者情報記憶領域１７ｃにアクセスし、現在処理している宛先者（対象者特定信号及び宛先者氏名により特定できる）の「メッセージ」の欄（例えば、図６の宛先者１の「メッセージ」欄）にメッセージ番号を書き込み記憶させる。
その後、宛先者情報読書部３５は記憶部１７の宛先者情報記憶領域１７ｃにアクセスし、既に記憶している対象者特定信号に合致する対象者に関連付けられた宛先者の情報を特定し、未だ読み出していない宛先者があるかどうか判断し、未だ読み出していない宛先者があると判断した場合には、未だ読み出していない１の宛先者の氏名及びメールアドレスを読み出し取得し、上述の動作を繰り返す。一方、宛先者情報読書部３５が、該対象者特定信号に合致する対象者に係る宛先者情報記憶領域１７ｃの記憶内容に、未だ読み出していない宛先者がいないと判断すれば、メッセージ指定操作が選択されたか否かの判断へ戻る。
【００３４】
候補確認操作の動作が終了したコンピュータ本体１１における送受信部３１は、確認者からのアクセス有無を判断（検出）し、確認者からのアクセスがあると判断した場合には、記憶部１７のウエブページ記憶領域１７ｂにアクセスし、該確認者に対応する確認者ウエブページにおいて、確認者承認（認証）の欄に「１」が書き込まれているか否かを判断する。該確認者ウエブページにおける確認者承認（認証）の欄に「１」が書き込まれていると判断した送受信部３１は、該確認者ウエブページのデータを該確認者にインターネット回線３０１を通じて送信する（これにより該確認者ウエブページが、該確認者の情報端末（例えば、パーソナルコンピュータ、所謂スマートフォン、携帯電話等）に表示される。そして該確認者は該確認者ウエブページにて対象者の死亡を報告する操作を行うことができる。）。そして、送受信部３１は、該確認者が該確認者ウエブページにて対象者の死亡を報告する操作をしたことを示す信号を受信したか否か判断し、該信号を受信したと判断すると、送受信部３１は、その確認者及び対象者を特定する情報を該確認者ウエブページから取得し、この確認者及び対象者を特定する該情報を確認者情報読書部２３に送信することで、ウエブページ記憶領域１７ｂにおける該確認者の「対象者の死亡確認」の欄（例えば、図４）に「１」を書き込むように確認者情報読書部２３に命令する。これを受け、確認者情報読書部２３は、記憶部１７のウエブページ記憶領域１７ｂに存する該確認者の「対象者の死亡確認」の欄に「１」を書き込み記憶させる。
【００３５】
ウエブページ記憶領域１７ｂ（確認者ウエブページ）における前記確認者の「対象者の死亡確認」の欄に「１」を書き込み記憶させた確認者情報読書部２３は、記憶部１７の対象者確認者情報記憶領域１７ａにアクセスし、送受信部３１から既に受信した確認者及び対象者を特定する前記情報に基づき、対象者確認者情報記憶領域１７ａの該対象者に係る情報（例えば、図３）を特定し、該確認者の「認証」の欄（図３参照）に「１」が書き込まれているか判断し、該確認者の「認証」の欄に「１」が書き込まれていると判断した場合は、該対象者における該確認者の「死亡」の欄に、「１」を書き込み記憶させる。
その後、確認者情報読書部２３は、記憶部１７の対象者確認者情報記憶領域１７ａにアクセスし、該対象者に関連付けられ、「認証」の欄に「１」が書き込まれている確認者のうち、該対象者の死亡を確認していない確認者（以下、「死亡未確認者」という。）がいないか判断する（具体的には、該対象者に関連付けられ、「認証」の欄に「１」が書き込まれた確認者のうち「死亡」の欄に数字が書き込まれていない確認者がいないか判断する。）。死亡未確認者がいると判断した確認者情報読書部２３は、死亡未確認者の氏名及びメールアドレスを読み出し取得（死亡未確認者が複数存する場合は、確認者の番号が小さいものから順番に読み出す。）した後、記憶部１７のウエブページ記憶領域１７ｂにアクセスし、該対象者と該確認者との情報から該確認者に対応する確認者ウエブページのＵＲＬを取得した後、確認者情報読書部２３は、１の死亡未確認者の氏名及びメールアドレスと、対象者特定信号と、該１の死亡未確認者の確認者ウエブページのＵＲＬと、を死亡確認メール作成部５１に送信する。死亡未確認者の氏名及びメールアドレスと、対象者特定信号と、確認者ウエブページのＵＲＬと、を受信した死亡確認メール作成部５１は、この死亡未確認者に該ＵＲＬに存するウエブページにアクセスし、該対象者の死亡確認を促す所定形式の電子メール（例えば、「対象者が死亡した可能性があります。対象者が死亡したか否かを確認し、次のＵＲＬのウエブページにアクセスして、対象者の死亡を報告してください。  ＵＲＬ  ｈｔｔｐ：／／ｗｗｗ．ａｂｃｄ・・・・」といったメール）のデータを作成し、該電子メールのデータを送受信部３１に送信することで該電子メールをインターネット回線３０１を通じて該メールアドレスに送信させる。
その後、送受信部３１は、確認者（死亡未確認者）からのアクセス有無を判断（検出）し、確認者からのアクセスがあると判断した場合には、記憶部１７のウエブページ記憶領域１７ｂにアクセスし、該確認者に対応する確認者ウエブページにおいて、確認者承認（認証）の欄に「１」が書き込まれているか否かを判断する。該確認者ウエブページにおける確認者承認（認証）の欄に「１」が書き込まれていると判断した送受信部３１は、該確認者ウエブページのデータを該確認者にインターネット回線３０１を通じて送信する（これにより該確認者ウエブページが、該確認者の情報端末（例えば、パーソナルコンピュータ、所謂スマートフォン、携帯電話等）に表示される。そして該確認者は該確認者ウエブページにて対象者の死亡を報告する操作を行うことができる。）。
【００３６】
そして、送受信部３１は、該確認者が該確認者ウエブページにて対象者の死亡事実の存否に関する操作をしたことを示す信号を受信したか否か判断し、該信号を受信したと判断すると、送受信部３１は、該受信した信号が対象者の死亡事実を認めるものであるか否か判断し、該死亡事実を認めるものであると判断した場合には、その確認者及び対象者を特定する情報を該確認者ウエブページから取得し、確認者及び対象者を特定する該情報を確認者情報読書部２３に送信することで、該確認者の「対象者の死亡確認」の欄に数字を書き込むように確認者情報読書部２３に命令する。これを受け、確認者情報読書部２３は、記憶部１７のウエブページ記憶領域１７ｂにアクセスし、該確認者の「対象者の死亡確認」の欄（例えば、図４参照）に「１」を書き込み記憶させる。
ウエブページ記憶領域１７ｂ（確認者ウエブページ）における前記確認者の「対象者の死亡確認」の欄に「１」を書き込み記憶させた確認者情報読書部２３は、記憶部１７の対象者確認者情報記憶領域１７ａにアクセスし、送受信部３１から既に受信した確認者及び対象者を特定する前記情報に基づき、対象者確認者情報記憶領域１７ａの該対象者に係る情報（例えば、図３）を特定し、該対象者に該確認者が関連付けられているか判断し、該対象者に該確認者が関連付けられていると判断した場合は、該対象者に関連付けられた確認者の「死亡」の欄に書き込まれた数字のうち最も大きいものに１を加えた数字（例えば、該対象者に確認者１、２の２人が関連付けられている場合であって、確認者１の「死亡」の欄に「１」が書き込まれていれば、確認者２の「死亡」の欄に書き込むべき数字は「２」である（該対象者に関連付けられた確認者の「死亡」の欄に書き込まれた数字のうち最も大きいもの「１」に１を加えた数字））を該確認者の「死亡」の欄に書き込み記憶させる。この状態の一例を図８に示す。
その後、確認者情報読書部２３は、記憶部１７の対象者確認者情報記憶領域１７ａにアクセスし、該対象者に関連付けられた確認者のうち該対象者の死亡を確認していない確認者（死亡未確認者）がいないか判断し、上述の動作が繰り返される。
【００３７】
一方、送受信部３１が、該確認者（死亡未確認者）が該確認者ウエブページにて対象者の死亡事実の存否に関する操作をしたことを示す信号が対象者の死亡事実を認めるものであると判断しない場合には、その確認者及び対象者を特定する情報を該確認者ウエブページから取得し、確認者及び対象者を特定する該情報を確認者情報読書部２３に送信する。死亡事実を認めるものでない操作をした該確認者と、該対象者と、を特定する該情報を受信した確認者情報読書部２３は、記憶部１７の対象者確認者情報記憶領域１７ａにアクセスし、送受信部３１から既に受信した該確認者及び該対象者を特定する前記情報に基づき、該確認者の「死亡」の欄に「０」を書き込み記憶させる（例えば、図９参照）と共に、該対象者に関連づけられた確認者のうち「死亡」の欄に「１」が書き込まれた確認者を特定し、該特定した確認者の氏名及びメールアドレスを読み出し取得する。そして、「死亡」の欄に「１」が書き込まれた確認者の氏名及びメールアドレスを読み出し取得した確認者情報読書部２３は、該読み出し取得した確認者の氏名及びメールアドレスと、対象者特定情報と、を死亡確認メール作成部５１へ送信する。これら確認者の氏名及びメールアドレスと対象者特定情報とを受信した死亡確認メール作成部５１は、該対象者の死亡を再度確認することを促す所定形式の電子メール（例えば、電子メールの本文として「先日、ご報告いただきました対象者の死亡に関しまして、貴台以外の確認者から死亡事実の確認ができないとの報告を受けました。つきましては対象者の死亡につきまして、再度ご確認をいただいた上、先日ご報告いただきました確認者ウエブページにおいて再度ご報告をお願いいたします。」といったもの）のデータを作成し、該電子メールのデータを送受信部３１に送信することで該電子メールをインターネット回線３０１を通じて該メールアドレスに送信させる。
【００３８】
確認メール作成部２７からの該電子メールを送信した送受信部３１は、確認者からのアクセス有無を判断（検出）し、確認者からのアクセスがあると判断した場合には、記憶部１７のウエブページ記憶領域１７ｂにアクセスし、該確認者に対応する確認者ウエブページにおいて、確認者承認（認証）の欄に「１」が書き込まれているか否かを判断する。該確認者ウエブページにおける確認者承認（認証）の欄に「１」が書き込まれていると判断した送受信部３１は、該確認者ウエブページのデータを該確認者にインターネット回線３０１を通じて送信する（これにより該確認者ウエブページが、該確認者の情報端末（例えば、パーソナルコンピュータ、所謂スマートフォン、携帯電話等）に表示される。そして該確認者は該確認者ウエブページにて対象者の死亡を報告する操作を行うことができる。）。そして、送受信部３１は、該確認者が該確認者ウエブページにて対象者の死亡を報告する操作をしたことを示す信号を受信したか否か判断し、該信号を受信したと判断すると、該受信した信号が対象者の死亡事実を認めるものであるか否か判断し、該死亡事実を認めるものであると判断した場合には、送受信部３１は、その確認者及び対象者を特定する情報を該確認者ウエブページから取得し、確認者及び対象者を特定する該情報を確認者情報読書部２３に送信する（なお、送受信部３１が、該受信した信号が対象者の死亡事実を認めるものであると判断しない場合には、再び確認者からのアクセス有無を判断（検出）する動作を行う。）。
【００３９】
このような確認者及び対象者を特定する該情報を受信した確認者情報読書部２３は、記憶部１７の対象者確認者情報記憶領域１７ａにアクセスし、該対象者に関連付けられた確認者のうち「死亡」の欄に「０」が書き込まれている確認者（以下、「否定確認者」）を特定し、否定確認者の氏名及びメールアドレスを読み出し取得した後、記憶部１７のウエブページ記憶領域１７ｂにアクセスし、該対象者と該確認者との情報から否定確認者に係る確認者ウエブページのＵＲＬを取得した後、確認者情報読書部２３は、読み出し取得した１の否定確認者の氏名及びメールアドレスと、対象者特定信号と、確認者ウエブページのＵＲＬと、を死亡確認メール作成部５１に送信する。否定確認者の氏名及びメールアドレスと、対象者特定信号と、確認者ウエブページのＵＲＬと、を受信した死亡確認メール作成部５１は、この否定確認者に該ＵＲＬに存するウエブページにアクセスし、該対象者の死亡確認を促す所定形式（例えば、電子メールの本文として「先日、ご確認いただきました対象者の死亡に関しまして、再度ご確認をいただいた上、先日ご報告いただきました確認者ウエブページにおいて再度ご報告をお願いいたします。」といったもの）の電子メールのデータを作成し、該電子メールのデータを送受信部３１に送信することで該電子メールをインターネット回線３０１を通じて該メールアドレスに送信させる。
【００４０】
その後、送受信部３１は、確認者（否定確認者）からのアクセス有無を判断（検出）し、否定確認者からのアクセスがあると判断した場合には、記憶部１７のウエブページ記憶領域１７ｂにアクセスし、該確認者に対応する確認者ウエブページにおいて、確認者承認（認証）の欄に「１」が書き込まれているか否かを判断する。該確認者ウエブページにおける確認者承認（認証）の欄に「１」が書き込まれていると判断した送受信部３１は、該確認者ウエブページのデータを該確認者にインターネット回線３０１を通じて送信する（これにより該確認者ウエブページが、否定確認者の情報端末（例えば、パーソナルコンピュータ、所謂スマートフォン、携帯電話等）に表示される。そして否定確認者は該確認者ウエブページにて対象者の死亡を報告する操作を行うことができる。）。
【００４１】
そして、送受信部３１は、否定確認者が該確認者ウエブページにて対象者の死亡事実の存否に関する操作をしたことを示す信号を受信したか否か判断し、該信号を受信したと判断すると、送受信部３１は、該受信した信号が対象者の死亡事実を認めるものであるか否か判断し、該死亡事実を認めるものであると判断した場合には、その確認者及び対象者を特定する情報を該確認者ウエブページから取得し、確認者及び対象者を特定する該情報を確認者情報読書部２３に送信することで、該確認者の「対象者の死亡確認」の欄に数字を書き込むように確認者情報読書部２３に命令する（なお、送受信部３１が、該受信した信号が対象者の死亡事実を認めるものであると判断しない場合には、動作を終了する。）。これを受け、確認者情報読書部２３は、記憶部１７のウエブページ記憶領域１７ｂにアクセスし、該確認者の「対象者の死亡確認」の欄に「１」を書き込み記憶させる。
ウエブページ記憶領域１７ｂ（確認者ウエブページ）における前記確認者の「対象者の死亡確認」の欄に「１」を書き込み記憶させた確認者情報読書部２３は、記憶部１７の対象者確認者情報記憶領域１７ａにアクセスし、送受信部３１から既に受信した確認者及び対象者を特定する前記情報に基づき、該対象者に該確認者が関連付けられているか判断し、該対象者に該確認者が関連付けられていると判断した場合は、該対象者に関連付けられた確認者の「死亡」の欄に書き込まれた数字のうち最も大きいものに１を加えた数字を否定確認者の「死亡」の欄に書き込み記憶させる（この際、否定確認者の「死亡」の欄には「０」が書き込まれ記憶されているが、これを、該最も大きいものに１を加えた数字により上書きする。）。
その後、確認者情報読書部２３は、記憶部１７の対象者確認者情報記憶領域１７ａにアクセスし、該対象者に関連付けられた確認者のうち該対象者の死亡を確認していない確認者（死亡未確認者）がいないか判断し、上述の動作が繰り返される。
【００４２】
確認者情報読書部２３が、記憶部１７の対象者確認者情報記憶領域１７ａにアクセスし、前記対象者に死亡未確認者がいないと判断した場合、宛先者ウエブページ作成部６１に前記対象者を特定する信号を起動信号として送信する。
該起動信号を受信した宛先者ウエブページ作成部６１は、記憶部１７の宛先者情報記憶領域１７ｃにアクセスし、該起動信号に基づき前記対象者に係る宛先者情報記憶領域１７ｃの記憶内容（例えば、図６のものの各宛先者のメッセージ欄にメッセージ番号が書き込まれた状態の図１０）を特定する。そして、宛先者ウエブページ作成部６１は、前記対象者に少なくとも１の宛先者が関連付けて記憶されているか否か判断し、前記対象者に少なくとも１の宛先者が関連付けて記憶されていると判断した場合は、未だ読み出していない宛先者が該記憶内容に含まれているか否か判断し、含まれていれば未だ読み出していない１の宛先者の氏名、メールアドレス及びメッセージ欄のメッセージ番号を読み出し取得する（該記憶内容が図１０であれば、例えば、宛先者１の氏名「岡山一郎」、メールアドレス「ｉｃｈｉｒｏ＠・・・・」及びメッセージ欄のメッセージ番号（２、４・・・））。なお、宛先者ウエブページ作成部６１が、前記対象者に少なくとも１の宛先者が関連付けて記憶されていると判断しない場合には、動作を終了する。
そして、宛先者ウエブページ作成部６１は、記憶部１７のメッセージ記憶領域１７ｄにアクセスし、メッセージ欄のメッセージ番号（例えば、２、４・・・）に応じたメッセージ内容（例えば、図７に従い、メッセージ番号２に応じた「おかげ様で楽しい人生でした。」、メッセージ番号４に応じた「がんばってください。」、・・・・）を読み出し取得する。その後、宛先者ウエブページ作成部６１は、前記対象者と、宛先者の氏名と、読み出し取得したメッセージ内容と、を用いて所定形式の該宛先者用宛先者ウエブページ（例えば、図５）のデータを作成し、そのウエブページデータをページ公開部２９へ送信すると共に、宛先者の氏名及びメールアドレスを宛先者メール作成部６３へ送信する。
【００４３】
その該宛先者用の宛先者ウエブページデータを受信したページ公開部２９は、記憶部１７のウエブページ記憶領域１７ｂに該ウエブページデータを書き込み記憶させると共に（これにより該宛先者ウエブページはインターネット回線３０１を通じて公開される。）、該宛先者ウエブページのＵＲＬを取得し、該ＵＲＬを宛先者メール作成部６３へ送信する。
該ＵＲＬを受信した宛先者メール作成部６３は、既に受信し記憶している宛先者の氏名及びメールアドレスと、該ＵＲＬと、を用いて、該宛先者に該ＵＲＬに存するウエブページにアクセスし、対象者からのメッセージを見ることを促す所定形式の電子メール（以下、「閲覧催促メール」という。例えば、電子メールの本文として「対象者が死亡いたしました。対象者から貴台に宛てたメッセージがございますので、次のＵＲＬのウエブページにてご覧ください。  ＵＲＬ  ｈｔｔｐ：／／ｗｗｗ．ａｂｃｄ・・・・」といったもの）のデータを作成し、該電子メールのデータを送受信部３１に送信することで該電子メールをインターネット回線３０１を通じて該メールアドレスに送信させる。該閲覧催促メールを送信した宛先者メール作成部６３は、宛先者ウエブページ作成部６１に起動信号を送信する。
起動信号を受信した宛先者ウエブページ作成部６１は、記憶部１７の宛先者情報記憶領域１７ｃにアクセスし、前記対象者に係る宛先者情報記憶領域１７ｃの記憶内容を特定し（例えば、図１０）、未だ読み出していない宛先者が該記憶内容に含まれているか否か判断し、含まれていれば未だ読み出していない１の宛先者の氏名、メールアドレス及びメッセージ欄のメッセージ番号を読み出し取得し、上述の動作を繰り返す。宛先者ウエブページ作成部６１が、未だ読み出していない宛先者が該記憶内容に含まれていると判断しない場合は、動作を終了する。
【００４４】
閲覧催促メールを送信した送受信部３１は、宛先者からのアクセス有無を判断（検出）し、宛先者からのアクセスがあると判断した場合には、ウエブページ記憶領域１７ｂから宛先者ウエブページのデータを該宛先者にインターネット回線３０１を通じて送信する（これにより該宛先者ウエブページが、該宛先者の情報端末（例えば、パーソナルコンピュータ、所謂スマートフォン、携帯電話等）に表示される。）と共に、記憶部１７の宛先者情報記憶領域１７ｃにアクセスし該宛先者の閲覧（有無）の欄（図１０参照）に「１」を書き込み記憶させる。
そして、送受信部３１は、宛先者からのアクセス有無の判断（検出）を開始してから所定時間（例えば２４時間）が経過したか否か判断し、所定時間が経過すると、記憶部１７の宛先者情報記憶領域１７ｃにアクセスし、閲覧の欄に「１」が書き込まれていない宛先者がいないか判断し、「１」が書き込まれていない宛先者がいると判断すると、その宛先者の氏名及びメールアドレスを読み出し取得し、該読み出し取得した氏名及びメールアドレスを宛先者メール作成部６３に送信する。宛先者メール作成部６３は、宛先者の氏名及びメールアドレスを用いて、該宛先者に対象者からのメッセージを見ることを促す所定形式の電子メール（例えば、電子メールの本文として「対象者が死亡いたしました。対象者から貴台に宛てたメッセージがございますので、次のＵＲＬのウエブページにてご覧ください。  ＵＲＬ  ｈｔｔｐ：／／ｗｗｗ．ａｂｃｄ・・・・」）のデータを作成し、該電子メールのデータを送受信部３１に送信することで該電子メールをインターネット回線３０１を通じて該メールアドレスに送信させる。
【００４５】
次いで、本装置１０の動作について説明する。なお、予め、対象者確認者情報記憶領域１７ａには、図３のように、本装置１０によって死亡が確認される対象者と、対象者の死亡を確認する２以上（ここでは２）の確認者（ここではまだ確認候補者）と、の情報を関連付けて記憶しており、宛先者情報記憶領域１７ｃには、図６のように、死亡が確認される対象者と、対象者の死亡の後にメッセージを送る宛先者と、の情報を関連付けて記憶しており、そしてメッセージ記憶領域１７ｄには、対象者ごとに、対象者が死亡した後に対象者から宛先者に送る複数種類のメッセージと、メッセージの種類毎に設定されたメッセージ番号（１種類のメッセージに１のメッセージ番号が対応している）と、を関連付けて記憶している（対象者確認者情報記憶領域１７ａ、宛先者情報記憶領域１７ｃ及びメッセージ記憶領域１７ｄのいずれも、複数の対象者に関する情報を各対象者ごとに記憶している。）。
【００４６】
まず、確認者の候補（確認候補者）が確認者になることを承諾するか否かを確認する動作（候補確認操作）について説明する。
図１１は候補確認操作の前半の動作を示すフローチャート図である。図１１を参照して、コンピュータ本体１１の動作を説明する。
コンピュータ本体１１は、入力部１５の操作によって、確認者の候補が確認者になることを承諾するか否かを確認する動作（候補確認操作）が選択されたか否か判断し（ｓ１０１）、候補確認操作が選択されたと判断した場合（ＹＥＳ）には、対象者を特定する信号（対象者特定信号）を受付部２１が受け付け（受信）たか否か判断し（ｓ１０３）、対象者特定信号を受け付けたと判断した場合（ＹＥＳ）には、受信した対象者特定信号を確認者情報読書部２３へ送信する（ｓ１０５）。ｓ１０１にて候補確認操作が選択されたと判断しない場合（ＮＯ）には、後述のｓ２０１へ行く。ｓ１０３にて対象者特定信号を受け付けたと判断しない場合には（ＮＯ）、ｓ１０３に戻る。
ｓ１０５にて受付部２１から送信された対象者特定信号を受信した確認者情報読書部２３は、記憶部１７の対象者確認者情報記憶領域１７ａへアクセスし、該対象者特定信号に合致する対象者に係る対象者確認者情報記憶領域１７ａの記憶内容を特定（例えば、図３）し、該記憶内容に含まれる１の確認者（まだ読み出していない確認者（確認候補者））の氏名及びメールアドレスを読み出し取得する（ｓ１０７）。そして、確認者情報読書部２３は、ｓ１０７にて読み出し取得した１の確認者（確認候補者）の氏名及びメールアドレスと、対象者特定信号と、を確認者ウエブページ作成部２５及び確認メール作成部２７へ並列的に送信する（ｓ１０９）。
【００４７】
ｓ１０９にて確認者情報読書部２３から送信された確認者（確認候補者）の氏名及びメールアドレスと、対象者特定信号と、を受信した確認者ウエブページ作成部２５は、該確認者（確認候補者）用の確認者ウエブページのデータを生成し、そのウエブページデータをページ公開部２９へ送信する（ｓ１１１）。
ｓ１１１にて確認者ウエブページ作成部２５から送信された確認者ウエブページデータを受信したページ公開部２９は、記憶部１７のウエブページ記憶領域１７ｂに該ウエブページデータを書き込み記憶させ（ｓ１１３）（これにより該ウエブページはインターネット回線３０１を通じて公開される。）、その後、該ウエブページのＵＲＬを取得し、該ＵＲＬを確認メール作成部２７へ送信する（ｓ１１５）。
ｓ１１５にてページ公開部２９から送信された該ＵＲＬを受信した確認メール作成部２７は、ｓ１０９にて確認者情報読書部２３から送信されて既に受信し記憶している該１の確認者（確認候補者）の氏名及びメールアドレスと、該ＵＲＬと、を用いて、該１の確認者（確認候補者）に該ＵＲＬに存するウエブページにアクセスし認証を行うことを促す所定形式の電子メールのデータを作成し、該電子メールのデータを送受信部３１に送信する（ｓ１１７）。ｓ１１７の後、確認メール作成部２７は、確認者情報読書部２３に起動信号を送信する（ｓ１１９）。
【００４８】
ｓ１１９にて確認メール作成部２７から送信された該起動信号を受信した確認者情報読書部２３は、記憶部１７の対象者確認者情報記憶領域１７ａへアクセスし、既に受信している該対象者特定信号に合致する対象者に係る対象者確認者情報記憶領域１７ａの記憶内容を特定し、未だ読み出していない確認者（確認候補者）が該記憶内容に含まれているか否か判断し（ｓ１２１）、未だ読み出していない確認者（確認候補者）が含まれていると判断すると（ＹＥＳ）、ｓ１０７に戻り、未だ読み出していない１の確認者（確認候補者）の氏名及びメールアドレスを読み出し取得し、ｓ１０９以降の上述の動作を繰り返す。ｓ１２１にて、確認者情報読書部２３が、該対象者特定信号に合致する対象者に係る対象者確認者情報記憶領域１７ａの記憶内容に、未だ読み出していない確認者（確認候補者）がいないと判断（ＮＯ）すれば、ｓ１０１へ戻る。
【００４９】
図１２は候補確認操作の後半の動作を示すフローチャート図である。図１２を参照して、コンピュータ本体１１の動作を説明する。
ｓ１１７にて確認メール作成部２７から送信された該電子メールのデータを受信した送受信部３１は、該電子メールをインターネット回線３０１を通じて該メールアドレスに送信する（ｓ１２３）。
ｓ１２３にて電子メールを送信した送受信部３１は、確認者（確認候補者）からのアクセスがあるか判断（検出）し（ｓ１２５）、確認者（確認候補者）からのアクセスがあると判断した場合（ＹＥＳ）には、記憶部１７のウエブページ記憶領域１７ｂにアクセスし、該確認者（確認候補者）に対応する確認者ウエブページのデータを該確認者（確認候補者）にインターネット回線３０１を通じて送信する（ｓ１２７）。ｓ１２５にて確認者（確認候補者）からのアクセスがあると判断しない場合（ＮＯ）には、ｓ１２５に戻る。そして、送受信部３１は、該確認者（確認候補者）が該確認者ウエブページにて操作したことを示す信号（操作信号）を受信したか否か判断し（ｓ１２９）、操作信号を受信したと判断すると（ＹＥＳ）、操作信号が承諾（自分自身が確認者になることを承諾）したことを示すものか否か判断する（ｓ１３１）。ｓ１２９にて操作信号を受信したと判断しない場合（ＮＯ）には、ｓ１２９に戻る。ｓ１３１にて操作信号が承諾するものであると判断した場合（ＹＥＳ）には、送受信部３１は、記憶部１７の対象者確認者情報記憶領域１７ａにおける該確認者（確認候補者）の「認証」の欄（図３参照）に「１」を書き込むことと、記憶部１７のウエブページ記憶領域１７ｂの該確認者（確認候補者）の確認者ウエブページの「確認者承認（認証）」の欄（図４参照）に「１」を書き込むこと、とを確認者情報読書部２３に命令する（ｓ１３３）。ｓ１３３の書込命令に従い、確認者情報読書部２３は、対象者確認者情報記憶領域１７ａにおける該確認者の「認証」の欄と、ウエブページ記憶領域１７ｂの該確認者の確認者ウエブページの「確認者承認（認証）」の欄と、に「１」を書き込み記憶させ（ｓ１３５）、その後、ｓ２０１（後述）に行く。ｓ１３１にて操作信号が承諾するものであると判断しない場合（ＮＯ）には、送受信部３１は、記憶部１７の対象者確認者情報記憶領域１７ａにおける該確認者の「認証」の欄（図３参照）に「０」を書き込むことと、記憶部１７のウエブページ記憶領域１７ｂの該確認者の確認者ウエブページの「確認者承認（認証）」の欄（図４参照）に「０」を書き込むこと、とを確認者情報読書部２３に命令する（ｓ１３７）。ｓ１３７の書込命令に従い、確認者情報読書部２３は、対象者確認者情報記憶領域１７ａにおける該確認者の「認証」の欄と、ウエブページ記憶領域１７ｂの該確認者の確認者ウエブページの「確認者承認（認証）」の欄と、に「０」を書き込み記憶させ（ｓ１３９）、その後、ｓ２０１（後述）に行く。
【００５０】
次いで、各宛先者に宛てるメッセージを指定する動作（メッセージ指定操作）について説明する。
図１３はメッセージ指定操作の動作を示すフローチャート図である。図１３を参照して、コンピュータ本体１１の動作を説明する。
ｓ１０１にて候補確認操作が選択されたと判断しない場合（ＮＯ）、ｓ１３５及びｓ１３９の後、コンピュータ本体１１は、入力部１５の操作によって、各宛先者に宛てるメッセージを指定する動作（メッセージ指定操作）が選択されたか否か判断し（ｓ２０１）、メッセージ指定操作が選択されたと判断した場合（ＹＥＳ）には、入力部１５から対象者を特定する信号（対象者特定信号）が入力されたか否か受付部２１が判断し（ｓ２０３）、対象者特定信号が入力されたと判断した場合（ＹＥＳ）には、受付部２１が、受信した対象者特定信号を宛先者情報読書部３５へ送信する（ｓ２０５）。なお、ｓ２０１にてメッセージ指定操作が選択されたと判断しない場合（ＮＯ）には、後述のｓ３０１へ行く。また、ｓ２０３にて対象者特定信号が入力されたと判断しない場合（ＮＯ）には、ｓ２０３へ戻る。
【００５１】
ｓ２０５にて受付部２１から送信された対象者特定信号を受信した宛先者情報読書部３５は、記憶部１７の宛先者情報記憶領域１７ｃにアクセスし、対象者特定信号に合致する対象者に関連付けられた宛先者の情報（例えば、図６）を特定し、１の宛先者（未読出）の氏名及びメールアドレスを読み出し取得する（ｓ２０７）。そして、宛先者情報読書部３５は、対象者特定信号と、ｓ２０７にて読み出し取得した宛先者の氏名及びメールアドレスと、を画像出力部３７、メッセージ読出部３９及びメッセージ特定情報受信部４１へ並列的に送信する（ｓ２０９）。
ｓ２０９にて送信された対象者特定信号、宛先者の氏名及びメールアドレスを受信したメッセージ読出部３９は、記憶部１７のメッセージ記憶領域１７ｄにアクセスし、対象者特定信号に合致する対象者に関連付けられて記憶されているメッセージ番号及びメッセージ内容（例えば、図７）を読み出し取得した後、メッセージ読出部３９は、読み出し取得したメッセージ番号及びメッセージ内容を画像出力部３７に送信する（ｓ２１１）。
宛先者の氏名及びメールアドレス（ｓ２０９にて送信）と、メッセージ番号及びメッセージ内容（ｓ２１１にて送信）と、を受信した画像出力部３７は、これらの情報を表示部１３に表示した後、受付部２１に起動信号を送信する（ｓ２１３）。
【００５２】
本装置１０自体の動作ではないが、本装置１０の使用者（例えば、対象者）は、表示部１３に表示されたこれらの情報（宛先者の氏名及びメールアドレス、メッセージ番号及びメッセージ内容）を見て、その宛先者に送りたいメッセージ内容に対応するメッセージ番号を入力部１５から入力する。
ｓ２１３の後、メッセージ番号を受付部２１が受け付けたか判断し（ｓ２１５）、メッセージ番号を受け付けたと判断した場合（ＹＥＳ）には、該受け付けたメッセージ番号をメッセージ特定情報受信部４１に送信する（ｓ２１７）。ｓ２１５にてメッセージ番号を受け付けたと判断しない場合（ＮＯ）には、ｓ２１５へ戻る。
ｓ２１７にて送信されたメッセージ番号を受信したメッセージ特定情報受信部４１は、既に受信している対象者特定信号及び宛先者氏名（ｓ２０９にて送信）と、該受信したメッセージ番号と、を宛先者情報読書部３５へ送信し（ｓ２１９）、これを受けた宛先者情報読書部３５は、記憶部１７の宛先者情報記憶領域１７ｃにアクセスし、現在処理している宛先者（対象者特定信号及び宛先者氏名により特定できる）の「メッセージ」の欄にメッセージ番号を書き込み記憶させる（ｓ２２１）。
ｓ２２１の後、宛先者情報読書部３５は記憶部１７の宛先者情報記憶領域１７ｃにアクセスし、ｓ２０５により受付部２１から送信され、既に記憶している対象者特定信号に合致する対象者に関連付けられた宛先者の情報を特定し、未だ読み出していない宛先者があるかどうか判断し（ｓ２２３）、未だ読み出していない宛先者があると判断した場合（ＹＥＳ）、ｓ２０７に戻り、未だ読み出していない１の宛先者の氏名及びメールアドレスを読み出し取得し、ｓ２０９以降の上述の動作を繰り返す。ｓ２２３にて、宛先者情報読書部３５が、該対象者特定信号に合致する対象者に係る宛先者情報記憶領域１７ｃの記憶内容に、未だ読み出していない宛先者がいないと判断（ＮＯ）すれば、ｓ２０１へ戻る。
【００５３】
対象者の死亡を確認する動作（死亡確認動作）について説明する。
図１４は、対象者の死亡を確認する動作（死亡確認動作）を示すフローチャート図である。図１４を参照して、コンピュータ本体１１の動作を説明する。
ｓ２０１にて、メッセージ指定操作が選択されたと判断しない場合（ＮＯ）には、送受信部３１は、確認者からのアクセスがあるか判断し（ｓ３０１）、アクセスがあると判断した場合（ＹＥＳ）には、記憶部１７のウエブページ記憶領域１７ｂに記憶されている該確認者の確認者ウエブページにおいて、確認者承認（認証）の欄に「１」が書き込まれているか否かを判断する（ｓ３０３）。ｓ３０３にて確認者承認（認証）の欄に「１」が書き込まれていると判断した場合（ＹＥＳ）、送受信部３１は、該確認者ウエブページのデータを該確認者にインターネット回線３０１を通じて送信する（ｓ３０５）。なお、ｓ３０１にて確認者からのアクセスがあると判断しない場合（ＮＯ）には、ｓ３０１に戻る。また、ｓ３０３にて確認者承認（認証）の欄に「１」が書き込まれていると判断しない場合（ＮＯ）には、ｓ３０１に戻る。
本装置１０自体の動作ではないが、ｓ３０５のデータ送信により、該確認者ウエブページが、該確認者の情報端末（例えば、パーソナルコンピュータ、所謂スマートフォン、携帯電話等）に表示されるので、該確認者は該確認者ウエブページにて対象者の死亡を報告する操作を行うことができる。
ｓ３０５の後、送受信部３１は、該確認者が該確認者ウエブページにて対象者の死亡を報告する操作をしたことを示す信号を受信したか否か判断し（ｓ３０７）、死亡報告に係る信号を受信したと判断すると（ＹＥＳ）、送受信部３１は、その確認者及び対象者を特定する情報を該確認者ウエブページから取得し、この確認者及び対象者を特定する該情報を確認者情報読書部２３に送信する（ｓ３０９）。ｓ３０７にて死亡報告に係る信号を受信したと判断しない場合（ＮＯ）にはｓ３０７に戻る。ｓ３０９において送信された前記情報を受信した確認者情報読書部２３は、ウエブページ記憶領域１７ｂにおける該確認者の「対象者の死亡確認」の欄（例えば、図４）に「１」を書き込む（ｓ３１１）。
【００５４】
ｓ３１１の後、確認者情報読書部２３は、記憶部１７の対象者確認者情報記憶領域１７ａにアクセスし、送受信部３１からｓ３０９にて送信され、既に受信している確認者及び対象者を特定する前記情報に基づき、対象者確認者情報記憶領域１７ａの該対象者に係る情報（例えば、図３）を特定し、該確認者の「認証」の欄（図３参照）に「１」が書き込まれているか判断し（ｓ３１３）、該確認者の「認証」の欄に「１」が書き込まれていると判断した場合（ＹＥＳ）は、該対象者における該確認者の「死亡」の欄に、「１」を書き込み記憶させる（ｓ３１５）。ｓ３１３にて該確認者の「認証」の欄に「１」が書き込まれていると判断しない場合（ＮＯ）はｓ３０１へ戻る。
ｓ３１５の後、確認者情報読書部２３は、記憶部１７の対象者確認者情報記憶領域１７ａにアクセスし、該対象者に関連付けられ、「認証」の欄に「１」が書き込まれている確認者のうち、該対象者の死亡を確認していない確認者（死亡未確認者）がいないか判断し（ｓ３１７）（具体的には、該対象者に関連付けられ、「認証」の欄に「１」が書き込まれた確認者のうち「死亡」の欄に数字が書き込まれていない確認者がいないか判断する。）、死亡未確認者がいると判断した場合（ＹＥＳ）には、確認者情報読書部２３は、死亡未確認者の氏名及びメールアドレスを読み出し取得する（ｓ３１９）（死亡未確認者が複数存する場合は、確認者の番号が小さいものを読み出す。）。
【００５５】
図１５は、ｓ３２１以降の動作を示すフローチャート図である。図１５を参照して、コンピュータ本体１１の動作を説明する。
ｓ３１９の後、確認者情報読書部２３は、記憶部１７のウエブページ記憶領域１７ｂにアクセスし、ｓ３０９にて送信された該対象者の情報と、ｓ３１９にて取得した死亡未確認者の氏名と、に基づき、該確認者に対応する確認者ウエブページのＵＲＬを取得し（ｓ３２１）、その後、確認者情報読書部２３は、ｓ３１９にて取得した１の死亡未確認者の氏名及びメールアドレスと、対象者特定信号と、該１の死亡未確認者の確認者ウエブページのＵＲＬと、を死亡確認メール作成部５１に送信する（ｓ３２３）。
ｓ３２３にて送信された死亡未確認者の氏名及びメールアドレスと、対象者特定信号と、確認者ウエブページのＵＲＬと、を受信した死亡確認メール作成部５１は、所定形式の電子メール（死亡未確認者に該ＵＲＬに存するウエブページにアクセスし、該対象者の死亡確認を促す内容の電子メール）のデータを作成し、該電子メールのデータを送受信部３１に送信する（ｓ３２５）。
該電子メールのデータを受信した送受信部３１は、該電子メールをインターネット回線３０１を通じて該メールアドレスに送信する（ｓ３２７）。
ｓ３２７の後、送受信部３１は、確認者（死亡未確認者）からのアクセスがあるか判断（検出）し（ｓ３２９）、確認者からのアクセスがあると判断した場合（ＹＥＳ）には、記憶部１７のウエブページ記憶領域１７ｂにアクセスし、該確認者に対応する確認者ウエブページにおいて、確認者承認（認証）の欄に「１」が書き込まれているか否かを判断する（ｓ３３１）。ｓ３３１において確認者承認（認証）の欄に「１」が書き込まれていると判断した場合（ＹＥＳ）には、送受信部３１は、該確認者ウエブページのデータを該確認者にインターネット回線３０１を通じて送信する（ｓ３３３）。ｓ３２９にて確認者からのアクセスがあると判断しない場合（ＮＯ）には、ｓ３２９に戻る。ｓ３３１において確認者承認（認証）の欄に「１」が書き込まれていると判断しない場合（ＮＯ）には、ｓ３１７へ行く。
本装置１０自体の動作ではないが、ｓ３３３のデータ送信により、該確認者ウエブページが、該確認者の情報端末（例えば、パーソナルコンピュータ、所謂スマートフォン、携帯電話等）に表示されるので、該確認者は該確認者ウエブページにて対象者の死亡を報告する操作を行うことができる。
【００５６】
ｓ３３３の後、送受信部３１は、該確認者が該確認者ウエブページにて対象者の死亡事実の存否に関する操作をしたことを示す信号（事実確認信号）を受信したか否か判断し（ｓ３３５）、該信号（事実確認信号）を受信したと判断すると（ＹＥＳ）、送受信部３１は、該受信した信号（事実確認信号）が対象者の死亡事実を認めるものであるか否か判断し（ｓ３３７）、該死亡事実を認めるものであると判断した場合（ＹＥＳ）には、その確認者及び対象者を特定する情報を該確認者ウエブページから取得し、確認者及び対象者を特定する該情報を確認者情報読書部２３に送信する（ｓ３３９）。ｓ３３５にて該信号（事実確認信号）を受信したと判断しない場合（ＮＯ）は、ｓ３３５に戻る。
図１６は、ｓ３４１以降の動作を示すフローチャート図である。図１６を参照して、コンピュータ本体１１の動作を説明する。
ｓ３３９にて送信された該情報を受信した確認者情報読書部２３は、記憶部１７のウエブページ記憶領域１７ｂにアクセスし、該確認者の「対象者の死亡確認」の欄（例えば、図４参照）に「１」を書き込み記憶させる（ｓ３４１）。
ｓ３４１の後、確認者情報読書部２３は、記憶部１７の対象者確認者情報記憶領域１７ａにアクセスし、ｓ３３９にて送受信部３１から送信され、既に受信した確認者及び対象者を特定する前記情報に基づき、対象者確認者情報記憶領域１７ａの該対象者に係る情報（例えば、図３）を特定し、該確認者の「認証」の欄（図３参照）に「１」が書き込まれているか判断し（ｓ３４３）、該確認者の「認証」の欄に「１」が書き込まれていると判断した場合（ＹＥＳ）は、該対象者に関連付けられた確認者の「死亡」の欄に書き込まれた数字のうち最も大きいものに１を加えた数字を該確認者の「死亡」の欄に書き込み記憶させる（ｓ３４５）。ｓ３４３にて該確認者の「認証」の欄に「１」が書き込まれていると判断しない場合（ＮＯ）はｓ３１７へ行く。
ｓ３４５の後、ｓ３１７へ行く。
【００５７】
ｓ３３７にて、送受信部３１が、前記信号（事実確認信号）が対象者の死亡事実を認めるものであると判断しない場合（ＮＯ）には、送受信部３１は、その確認者及び対象者を特定する情報を該確認者ウエブページから取得し、確認者及び対象者を特定する該情報を確認者情報読書部２３に送信する（ｓ３５１）。
図１７は、ｓ３５３以降の動作を示すフローチャート図である。図１７を参照して、コンピュータ本体１１の動作を説明する。
ｓ３５１にて送信された該情報を受信した確認者情報読書部２３は、記憶部１７の対象者確認者情報記憶領域１７ａにアクセスし、該確認者の「死亡」の欄に「０」を書き込み記憶させる（ｓ３５３）。ｓ３５３の後、確認者情報読書部２３は、記憶部１７の対象者確認者情報記憶領域１７ａにおいて該対象者に関連づけられた確認者のうち「死亡」の欄に「１」が書き込まれた確認者（通報者）を特定し、該特定した確認者の氏名及びメールアドレスを読み出し取得する（ｓ３５５）。その後、確認者情報読書部２３は、ｓ３５５にて読み出し取得した確認者の氏名及びメールアドレスと、対象者特定情報と、を死亡確認メール作成部５１に送信する（ｓ３５７）。ｓ３５７にて送信された確認者の氏名及びメールアドレスと対象者特定情報とを受信した死亡確認メール作成部５１は、該対象者の死亡を再度確認することを促す所定形式の電子メールのデータを作成し、該電子メールのデータを送受信部３１に送信する（ｓ３５９）。ｓ３５９にて送信された電子メールのデータを受信した送受信部３１は、該電子メールをインターネット回線３０１を通じて該メールアドレスに送信する（ｓ３６１）。
【００５８】
ｓ３６１の送信の後、送受信部３１は、該電子メールを送信した確認者からアクセスがあるか判断（検出）し（ｓ３６３）、確認者からのアクセスがあると判断した場合（ＹＥＳ）には、記憶部１７のウエブページ記憶領域１７ｂにアクセスし、該確認者に対応する確認者ウエブページにおいて、確認者承認（認証）の欄に「１」が書き込まれているか否かを判断する（ｓ３６５）。ｓ３６３にて確認者からのアクセスがあると判断しない場合（ＮＯ）には、ｓ３６３に戻る。ｓ３６５にて確認者承認（認証）の欄に「１」が書き込まれていると判断した場合（ＹＥＳ）には、送受信部３１は、該確認者ウエブページのデータを該確認者にインターネット回線３０１を通じて送信する（ｓ３６７）。ｓ３６５にて確認者承認（認証）の欄に「１」が書き込まれていると判断しない場合（ＮＯ）には、ｓ３１７へ行く。
本装置１０自体の動作ではないが、ｓ３６７のデータ送信により、該確認者ウエブページが、該確認者の情報端末に表示されるので、該確認者は該確認者ウエブページにて対象者の死亡を報告する操作を行うことができる。
【００５９】
ｓ３６７の後、送受信部３１は、該確認者が該確認者ウエブページにて対象者の死亡を報告する操作をしたことを示す信号を受信したか否か判断し（ｓ３６９）、該信号を受信したと判断すると（ＹＥＳ）、該受信した信号が対象者の死亡事実を認めるものか判断し（ｓ３７１）、死亡事実を認めるものであると判断した場合（ＹＥＳ）には、送受信部３１は、その確認者及び対象者を特定する情報を該確認者ウエブページから取得し、確認者及び対象者を特定する該情報を確認者情報読書部２３に送信する（ｓ３７３）。ｓ３６９にて信号を受信したと判断しない場合（ＮＯ）、ｓ３６９へ戻る。また、ｓ３７１にて死亡事実を認めるものであると判断しない場合（ＮＯ）には、ｓ３０１へ行く。
図１８は、ｓ３７５以降の動作を示すフローチャート図である。図１８を参照して、コンピュータ本体１１の動作を説明する。
ｓ３７３にて送信された該情報（確認者及び対象者を特定する）を受信した確認者情報読書部２３は、記憶部１７の対象者確認者情報記憶領域１７ａにアクセスし、該対象者に関連付けられた確認者のうち「死亡」の欄に「０」が書き込まれている確認者（以下、「否定確認者」）を特定し、否定確認者の氏名及びメールアドレスを読み出し取得し（ｓ３７５）、記憶部１７のウエブページ記憶領域１７ｂにアクセスし、該対象者と該確認者との情報から否定確認者に係る確認者ウエブページのＵＲＬを取得（ｓ３７７）した後、確認者情報読書部２３は、読み出し取得した１の否定確認者の氏名及びメールアドレスと、対象者特定信号と、確認者ウエブページのＵＲＬと、を死亡確認メール作成部５１に送信する（ｓ３７９）。ｓ３７９において送信された否定確認者の氏名及びメールアドレスと、対象者特定信号と、確認者ウエブページのＵＲＬと、を受信した死亡確認メール作成部５１は、所定形式の電子メール（否定確認者に該ＵＲＬに存するウエブページにアクセスし、該対象者の死亡確認を促すもの）のデータを作成し、該電子メールのデータを送受信部３１に送信する（ｓ３８１）。
ｓ３８１にて送信された電子メールのデータを受信した送受信部３１は、該電子メールをインターネット回線３０１を通じて該メールアドレスに送信する（ｓ３８３）。
【００６０】
ｓ３８３の後、送受信部３１は、確認者（否定確認者）からのアクセス有無を判断（検出）（ｓ３８５）し、否定確認者からのアクセスがあると判断した場合（ＹＥＳ）には、記憶部１７のウエブページ記憶領域１７ｂにアクセスし、該確認者に対応する確認者ウエブページにおいて、確認者承認（認証）の欄に「１」が書き込まれているか否かを判断する（ｓ３８７）。ｓ３８５において否定確認者からのアクセスがあると判断しない場合（ＮＯ）には、ｓ３８５に戻る。ｓ３８７にて該確認者ウエブページにおける確認者承認（認証）の欄に「１」が書き込まれていると判断した送受信部３１は、該確認者ウエブページのデータを該確認者にインターネット回線３０１を通じて送信する（ｓ３８９）。ｓ３８７にて該確認者ウエブページにおける確認者承認（認証）の欄に「１」が書き込まれていると判断しない場合には、動作を終了する（ＥＮＤ）。
本装置１０自体の動作ではないが、ｓ３８９のデータ送信により該確認者ウエブページが、否定確認者の情報端末に表示される。そして否定確認者は該確認者ウエブページにて対象者の死亡を報告する操作を行うことができる。
【００６１】
ｓ３８９の後、送受信部３１は、否定確認者が該確認者ウエブページにて対象者の死亡事実の存否に関する操作をしたことを示す信号を受信したか否か判断し（ｓ３９１）、該信号を受信したと判断すると（ＹＥＳ）、送受信部３１は、該受信した信号が対象者の死亡事実を肯定するものであるか否か判断し（ｓ３９３）、該死亡事実を認めるものであると判断した場合（ＹＥＳ）には、その確認者及び対象者を特定する情報を該確認者ウエブページから取得し、確認者及び対象者を特定する該情報を確認者情報読書部２３に送信する（ｓ３９５）。ｓ３９１にて信号を受信したと判断しない場合（ＮＯ）、ｓ３９１へ戻る。ｓ３９３にて死亡事実を認めるものであると判断しない場合（ＮＯ）には、動作を終了する（ＥＮＤ）。
図１９は、ｓ３９７以降の動作を示すフローチャート図である。図１９を参照して、コンピュータ本体１１の動作を説明する。
ｓ３９５にて送信された該情報を受信した確認者情報読書部２３は、記憶部１７のウエブページ記憶領域１７ｂにアクセスし、該確認者の「対象者の死亡確認」の欄に「１」を書き込み記憶させる（ｓ３９７）。
ｓ３９７の後、確認者情報読書部２３は、記憶部１７の対象者確認者情報記憶領域１７ａにアクセスし、送受信部３１から既に受信した確認者及び対象者を特定する前記情報に基づき、該対象者に該確認者が関連付けられているか判断し（ｓ３９８）、該対象者に該確認者が関連付けられていると判断した場合（ＹＥＳ）は、該対象者に関連付けられた確認者の「死亡」の欄に書き込まれた数字のうち最も大きいものに１を加えた数字を否定確認者の「死亡」の欄に書き込み（上書き）記憶させる（ｓ３９９）（これにより否定確認者の「死亡」の欄の「０」が、該最も大きいものに１を加えた数字により上書きされる。）。ｓ３９８にて該対象者に該確認者が関連付けられていると判断しない場合（ＮＯ）は、動作を終了する（ＥＮＤ）。
ｓ３９９の後、ｓ３１７へ行く。
【００６２】
図２０は、ｓ４０１以降の動作を示すフローチャート図である。図２０を参照して、コンピュータ本体１１の動作を説明する。
ｓ３１７にて確認者情報読書部２３が、記憶部１７の対象者確認者情報記憶領域１７ａにアクセスし、前記対象者に死亡未確認者がいると判断しない場合（ＮＯ）、宛先者ウエブページ作成部６１に前記対象者を特定する信号を起動信号として送信する（ｓ４０１）。
ｓ４０１にて送信された該起動信号を受信した宛先者ウエブページ作成部６１は、記憶部１７の宛先者情報記憶領域１７ｃにアクセスし、該起動信号に基づき前記対象者に係る宛先者情報記憶領域１７ｃの記憶内容（例えば、図１０）を特定する（ｓ４０３）。ｓ４０３の後、宛先者ウエブページ作成部６１は、前記対象者に少なくとも１の宛先者が関連付けて記憶されているか否か判断し（ｓ４０５）、前記対象者に少なくとも１の宛先者が関連付けて記憶されていると判断した場合（ＹＥＳ）は、未だ読み出していない宛先者が該記憶内容に含まれているか否か判断し（ｓ４０７）、含まれていると判断すれば（ＹＥＳ）、未だ読み出していない１の宛先者の氏名、メールアドレス及びメッセージ欄のメッセージ番号を読み出し取得する（ｓ４０９）。ｓ４０５にて前記対象者に少なくとも１の宛先者が関連付けて記憶されていると判断しない場合（ＮＯ）は、動作を終了する（ＥＮＤ）。ｓ４０７にて宛先者ウエブページ作成部６１が、未だ読み出していない宛先者が該記憶内容に含まれていると判断しない場合（ＮＯ）は、後述のｓ５０１へ行く。
ｓ４０９の後、宛先者ウエブページ作成部６１は、記憶部１７のメッセージ記憶領域１７ｄにアクセスし、メッセージ欄のメッセージ番号に応じたメッセージ内容を読み出し取得する（ｓ４１１）。ｓ４１１の後、宛先者ウエブページ作成部６１は、前記対象者と、宛先者の氏名と、読み出し取得したメッセージ内容と、を用いて所定形式の該宛先者用の宛先者ウエブページのデータを作成し、該作成したウエブページデータをページ公開部２９へ送信する（ｓ４１３）と共に、宛先者の氏名及びメールアドレスを宛先者メール作成部６３へ送信する（ｓ４１５）。
【００６３】
ｓ４１３にて送信された宛先者ウエブページデータを受信したページ公開部２９は、記憶部１７のウエブページ記憶領域１７ｂに該ウエブページデータを書き込み記憶させ（ｓ４１７）（これにより該宛先者ウエブページはインターネット回線３０１を通じて公開される。）、該宛先者ウエブページのＵＲＬを取得し、該ＵＲＬを宛先者メール作成部６３へ送信する（ｓ４１９）。
該ＵＲＬを受信した宛先者メール作成部６３は、既に受信し記憶している宛先者の氏名及びメールアドレスと、該ＵＲＬと、を用いて、所定形式の電子メール（該宛先者に、該ＵＲＬに存するウエブページにアクセスし、対象者からのメッセージを見ることを促す閲覧催促メール）のデータを作成し、該電子メールのデータを送受信部３１に送信する（ｓ４２１）と共に、宛先者メール作成部６３は、宛先者ウエブページ作成部６１に起動信号を送信する（ｓ４２３）。ｓ４２１にて送信された該電子メールのデータを受信した送受信部３１は、該電子メールをインターネット回線３０１を通じて該メールアドレスに送信する（ｓ４２５）。
ｓ４２５の後、ｓ４０７に行く。
【００６４】
図２１は、ｓ４０７にて宛先者ウエブページ作成部６１が、未だ読み出していない宛先者が該記憶内容に含まれていると判断しない場合（ＮＯ）のその後の動作（ｓ５０１以降）を示すフローチャート図である。図２１を参照して、コンピュータ本体１１の動作を説明する。
送受信部３１は、宛先者からのアクセスがあるか判断（検出）し（ｓ５０１）、宛先者からのアクセスがあると判断した場合（ＹＥＳ）には、ウエブページ記憶領域１７ｂから宛先者ウエブページのデータを読み出して該宛先者にインターネット回線３０１を通じて送信する（ｓ５０３）（これにより該宛先者ウエブページが、該宛先者の情報端末に表示される。）と共に、記憶部１７の宛先者情報記憶領域１７ｃにアクセスし該宛先者の閲覧（有無）の欄（図１０参照）に「１」を書き込み記憶させる（ｓ５０５）。ｓ５０１にて宛先者からのアクセスがあると判断しない場合（ＮＯ）には、ｓ５０１へ戻る。
そして、送受信部３１は、ｓ５０１の動作を開始してから所定時間（例えば２４時間）が経過したか否か判断し（ｓ５０７）、経過したと判断した場合（ＹＥＳ）は、記憶部１７の宛先者情報記憶領域１７ｃにアクセスし、閲覧の欄に「１」が書き込まれていない宛先者がいないか判断し（ｓ５０９）、「１」が書き込まれていない宛先者がいると判断すると（ＹＥＳ）、「１」が書き込まれていない宛先者全員の氏名及びメールアドレスを読み出し取得し、該読み出し取得した氏名及びメールアドレスを宛先者メール作成部６３に送信する（ｓ５１１）。ｓ５０７にて経過したと判断しない場合（ＮＯ）は、ｓ５０１に戻る。ｓ５０９にて「１」が書き込まれていない宛先者がいると判断しなければ（ＮＯ）、動作を終了する（ＥＮＤ）。ｓ５１１にて送信された氏名及びメールアドレスを受信した宛先者メール作成部６３は、宛先者の氏名及びメールアドレスを用いて、該宛先者に、対象者からのメッセージを見ることを促す所定形式の電子メールのデータを作成し、該電子メールのデータを送受信部３１に送信する（ｓ５１３）。ｓ５１３のデータを受信した送受信部３１は、該電子メールをインターネット回線３０１を通じて該メールアドレスに送信する（ｓ５１５）。
ｓ５１５の後、ｓ５０９にて「１」が書き込まれていないと判断した宛先者の全員にｓ５１３にて電子メールのデータを作成したか判断し（ｓ５１７）、全員に電子メールのデータを作成したと判断した場合（ＹＥＳ）にはｓ５０１へ戻り、全員に電子メールのデータを作成したと判断しない場合（ＮＯ）にはｓ５１３へ戻る。
【００６５】
以上の通り、本装置１０は、少なくとも２以上の確認者（ここでは図３に示す確認者１（特許太郎）及び確認者２（商標花子）の２人）によって所定事実（ここでは対象者（笠原英俊）の死亡）の有無を確認する確認装置であって、確認者それぞれの連絡先（ここではメールアドレス）を記憶する確認者情報記憶手段（ここでは図８のような内容を記憶する対象者確認者情報記憶領域１７ａを有する記憶部１７）と、１の確認者である通報者（例えば、確認者１（特許太郎））からの該所定事実の存在を肯定する通報信号を受け付ける通報信号受付手段（ここではｓ３０７における送受信部３１が構成する。）と、通報信号受付手段（ｓ３０７における送受信部３１）が通報信号を受け付けた後、通報者以外の確認者（例えば、確認者２（商標花子））の連絡先（メールアドレス）を確認者情報記憶手段（対象者確認者情報記憶領域１７ａを有する記憶部１７）から読み出す確認者連絡先読出手段（ここではｓ３１９における確認者情報読書部２３が構成する）と、確認者連絡先読出手段（ｓ３１９における確認者情報読書部２３）により読み出し取得された連絡先（メールアドレス、例えば「ｈａｎａｋｏ＠・・・・」）に、該所定事実の有無に関する操作である有無確認操作を要求する通知である有無確認要求通知（ここでは死亡未確認者に該ＵＲＬに存するウエブページにアクセスし、該対象者の死亡確認を促す内容の電子メール）を送信する有無確認要求手段（ここではｓ３２５における死亡確認メール作成部５１と、ｓ３２７における送受信部３１と、によって構成される）と、通報者以外の確認者の有無確認操作に関する信号（事実確認信号）を受け付ける有無信号受付手段（ここではｓ３３５における送受信部３１が構成する。）と、有無信号受付手段（ｓ３３５における送受信部３１）により受け付けられた有無確認操作に関する信号（事実確認信号）のうち、該所定事実が存在することを示す有操作（ｓ３３７においてＹＥＳと判断されるもの）を発した確認者の数に基づき、該所定事実が存在すると判断する存在判断手段（ｓ３１７においてＮＯの判断をする確認者情報読書部２３が構成する。）と、を備えてなる、確認装置である。
【００６６】
本装置１０においては、確認者の候補である確認候補者（ｓ１３５における書き込みがなされるまでの確認者の候補者。ここでは図３に示す確認者１（特許太郎）及び確認者２（商標花子））それぞれの連絡先である候補者連絡先（ここではメールアドレス）を記憶する候補者情報記憶手段（図３のような内容を記憶する対象者確認者情報記憶領域１７ａを有する記憶部１７）と、候補者情報記憶手段（対象者確認者情報記憶領域１７ａを有する記憶部１７）から候補者連絡先（メールアドレス）を読み出す候補者連絡先読出手段（ｓ１０７における確認者情報読書部２３が構成する。）と、候補者連絡先読出手段（ｓ１０７における確認者情報読書部２３）により読み出し取得された候補者連絡先（メールアドレス）に、確認候補者が確認者になることを承諾するか否かを示す操作である諾否操作を要求する通知である諾否確認要求通知を送信する候補者諾否操作要求手段（ｓ１１７における確認メール作成部２７と、ｓ１２３における送受信部３１と、が構成する。）と、確認候補者からの諾否操作に関する信号である諾否信号を受け付ける諾否信号受付手段（ｓ１２９における送受信部３１が構成する。）と、を備えてなり、確認者情報記憶手段（対象者確認者情報記憶領域１７ａを有する記憶部１７）は、諾否信号受付手段（ｓ１２９における送受信部３１）により受け付けられた諾否信号が、確認者になることを承諾する操作である承諾操作をしたことを示す承諾信号（ｓ１３１においてＹＥＳ）である確認候補者を確認者として連絡先を記憶するものである（ｓ１３５において「１」を書き込み記憶させた確認候補者が確認者となる。）。
【００６７】
本装置１０においては、確認者情報記憶手段（対象者確認者情報記憶領域１７ａを有する記憶部１７）は、候補者情報記憶手段（対象者確認者情報記憶領域１７ａを有する記憶部１７）に記憶された確認候補者（ｓ１３５における書き込みがなされるまでの確認者の候補者）と、該確認候補者が承諾信号を発したこと（ｓ１３１においてＹＥＳ）と、を関連付けて記憶するものである（ｓ１３５において対象者確認者情報記憶領域１７ａにおける該確認者の「認証」の欄に「１」を書き込み記憶することで、確認候補者と該確認候補者が承諾信号を発したこととを関連付けて記憶する。）。
本装置１０においては、確認候補者が諾否操作を行う諾否用ウエブページ（ここでは確認者ウエブページ）を確認候補者に対応して作成し、該作成した諾否用ウエブページ（確認者ウエブページ）をインターネット上に公開する諾否用ウエブページ作成手段（ｓ１１１における確認者ウエブページ作成部２５と、ｓ１１３におけるページ公開部２９と、が構成する。）を備えてなり、候補者諾否操作要求手段（ｓ１１７における確認メール作成部２７と、ｓ１２３における送受信部３１と、が構成する。）が、諾否用ウエブページ（確認者ウエブページ）において諾否操作を要求する諾否確認要求通知（ｓ１２３にて送信される電子メール）を送信し、諾否信号受付手段（ｓ１２９における送受信部３１）が、諾否用ウエブページ（確認者ウエブページ）における諾否操作に関する諾否信号を受け付けるものである。
【００６８】
本装置１０においては、候補者諾否操作要求手段（ｓ１１７における確認メール作成部２７と、ｓ１２３における送受信部３１と、が構成する。）が、諾否用ウエブページ（確認者ウエブページ）のインターネット上のアドレス（ｓ１１５にてページ公開部２９から送信されるＵＲＬ）を内容に含む電子メールを作成し（ｓ１１７）、諾否確認要求通知（ｓ１２３にて送信される電子メール）として該電子メールを候補者連絡先（メールアドレス）に送信する（ｓ１２３）ものである。
本装置１０においては、前記所定事実が対象者（ここでは対象者：笠原英俊）の死亡である。
本装置１０においては、存在判断手段（ｓ３１７においてＮＯの判断をする確認者情報読書部２３）が、前記有操作（ｓ３３７においてＹＥＳ）を発した確認者が、通報者以外の確認者全員になったとき（ｓ３１７にてＮＯ）に前記所定事実が存在すると判断するものである。
【００６９】
本装置１０は、本確認装置を含んでなり、該確認装置が前記所定事実（対象者（ここでは対象者：笠原英俊）の死亡事実）が存在すると判断した場合（ｓ３１７においてＮＯと判断した場合）に所定のコンテンツ（ここでは図７に示されるメッセージ内容）を宛先者（ここでは図６に示される宛先者１（岡山一郎）、宛先者２（津山美子）、宛先者３（笠岡二郎））に提示するコンテンツ提示装置であって、提示するコンテンツを記憶するコンテンツ記憶手段（ここではメッセージ記憶領域１７ｄを有する記憶部１７）と、該確認装置が該所定事実が存在すると判断（ｓ３１７にてＮＯ）した後、コンテンツ記憶手段（メッセージ記憶領域１７ｄを有する記憶部１７）が記憶しているコンテンツ（図７に示されるメッセージ内容）を宛先者（宛先者１（岡山一郎）、宛先者２（津山美子）、宛先者３（笠岡二郎））に提示するコンテンツ提示手段（ここでは宛先者ウエブページ作成部６１、宛先者メール作成部６３、ページ公開部２９及び送受信部３１によって構成される。）と、を備えてなる、コンテンツ提示装置である。
【００７０】
本装置１０においては、宛先者が複数（ここでは宛先者１（岡山一郎）、宛先者２（津山美子）、宛先者３（笠岡二郎）の３人）存すると共に、コンテンツ記憶手段（メッセージ記憶領域１７ｄを有する記憶部１７）が複数種類のコンテンツ（ここでは図７に示すように、メッセージ番号１、２、３、４・・・それぞれに対応するメッセージ内容）を記憶しているものであり、宛先者（宛先者１（岡山一郎）、宛先者２（津山美子）、宛先者３（笠岡二郎））それぞれに対して、コンテンツ記憶手段（メッセージ記憶領域１７ｄを有する記憶部１７）が記憶した複数種類のコンテンツ（メッセージ番号１、２、３、４・・・それぞれに対応するメッセージ内容）のいずれを提示するかを示すコンテンツ対応関係（ここでは図１０において各宛先者のメッセージ欄に記載されたメッセージ番号が該当する）を記憶するコンテンツ対応関係記憶手段（図１０を記憶する宛先者情報記憶領域１７ｃを有する記憶部１７）を有してなり、コンテンツ提示手段（宛先者ウエブページ作成部６１、宛先者メール作成部６３、ページ公開部２９及び送受信部３１）が、コンテンツ対応関係記憶手段（宛先者情報記憶領域１７ｃを有する記憶部１７）が記憶するコンテンツ対応関係（図１０において各宛先者のメッセージ欄に記載されたメッセージ番号）に従って、宛先者（宛先者１（岡山一郎）、宛先者２（津山美子）、宛先者３（笠岡二郎））にコンテンツ（メッセージ内容）を提示するものである。
【００７１】
本装置１０においては、複数種類のコンテンツ（メッセージ番号１、２、３、４・・・それぞれに対応するメッセージ内容）のうち宛先者（宛先者１（岡山一郎）、宛先者２（津山美子）、宛先者３（笠岡二郎））それぞれに提示するものを指定する情報であるコンテンツ指定情報（ｓ２１５におけるメッセージ番号）を受け付けるコンテンツ指定情報受付手段（ｓ２１５における受付部２１と、ｓ２１７にて送信されたメッセージ番号を受信するメッセージ特定情報受信部４１と、によって構成される。）を有してなり、コンテンツ対応関係（図１０において各宛先者のメッセージ欄に記載されたメッセージ番号）は、コンテンツ指定情報受付手段（ｓ２１５における受付部２１と、ｓ２１７にて送信されたメッセージ番号を受信するメッセージ特定情報受信部４１と、によって構成される。）により受け付けられたコンテンツ指定情報（ｓ２１５におけるメッセージ番号）である。
【００７２】
本装置１０においては、宛先者それぞれの連絡先（ここではメールアドレス）を記憶する宛先者情報記憶手段（宛先者情報記憶領域１７ｃを有する記憶部１７）を備えてなり、コンテンツ提示手段（宛先者ウエブページ作成部６１、宛先者メール作成部６３、ページ公開部２９及び送受信部３１）が、コンテンツ対応関係（図１０において各宛先者のメッセージ欄に記載されたメッセージ番号）に従って各宛先者１、２、３に提示するコンテンツ（メッセージ内容）を含む宛先者ウエブページを各宛先者１、２、３に対応して作成し、該作成した宛先者ウエブページをインターネット上に公開する宛先者ウエブページ作成手段（ｓ４１３における宛先者ウエブページ作成部６１と、ｓ４１７におけるページ公開部２９と、が構成する。）と、宛先者情報記憶手段（宛先者情報記憶領域１７ｃを有する記憶部１７）が記憶している宛先者１、２、３の連絡先（メールアドレス）を読み出し取得する宛先者連絡先読出手段（ｓ４０９における宛先者ウエブページ作成部６１）と、宛先者ウエブページ作成手段（ｓ４１３における宛先者ウエブページ作成部６１と、ｓ４１７におけるページ公開部２９と、が構成する。）により作成された宛先者ウエブページのインターネット上のアドレス（ここではｓ４１９により取得される宛先者ウエブページのＵＲＬ）を該宛先者ウエブページに対応する宛先者に、宛先者連絡先読出手段（ｓ４０９における宛先者ウエブページ作成部６１）により読み出し取得された該宛先者の連絡先（メールアドレス）に送信する宛先者ウエブページアドレス送信手段（ｓ４２１における宛先者メール作成部６３と、ｓ４２５における送受信部３１と、が構成する。）と、を有してなる。
【００７３】
本装置１０においては、前記所定事実が、対象者の死亡（ここでは対象者：笠原英俊の死亡）であり、前記コンテンツが、該対象者（笠原英俊）が生前に前記宛先者（宛先者１（岡山一郎）、宛先者２（津山美子）、宛先者３（笠岡二郎））に提示を希望するものである。
本装置１０は、所定のプログラムをコンピュータに実行させることで実現させることができ、さらに、かかるプログラムはコンピュータ読みとり可能な記憶媒体に記録することができる。
【符号の説明】
【００７４】
１０       本装置
１１       コンピュータ本体
１１ａ     ＣＰＵ
１１ｂ     ＲＡＭ
１１ｃ     ＲＯＭ
１１ｄ     インターフェイス
１３       表示部
１５       入力部
１７       記憶部
１７ａ     対象者確認者情報記憶領域
１７ｂ     ウエブページ記憶領域
１７ｃ     宛先者情報記憶領域
１７ｄ     メッセージ記憶領域
２１       受付部
２３       確認者情報読書部
２５       確認者ウエブページ作成部
２７       確認メール作成部
２９       ページ公開部
３１       送受信部
３５       宛先者情報読書部
３７       画像出力部
３９       メッセージ読出部
４１       メッセージ特定情報受信部
５１       死亡確認メール作成部
６１       宛先者ウエブページ作成部
６３       宛先者メール作成部
３０１       インターネット回線
【図１】
0006618172.tif 000002
【図２】
0006618172.tif 000003
【図３】
0006618172.tif 000004
【図４】
0006618172.tif 000005
【図５】
0006618172.tif 000006
【図６】
0006618172.tif 000007
【図７】
0006618172.tif 000008
【図８】
0006618172.tif 000009
【図９】
0006618172.tif 000010
【図１０】
0006618172.tif 000011
【図１１】
0006618172.tif 000012
【図１２】
0006618172.tif 000013
【図１３】
0006618172.tif 000014
【図１４】
0006618172.tif 000015
【図１５】
0006618172.tif 000016
【図１６】
0006618172.tif 000017
【図１７】
0006618172.tif 000018
【図１８】
0006618172.tif 000019
【図１９】
0006618172.tif 000020
【図２０】
0006618172.tif 000021
【図２１】
0006618172.tif 000022